(57)【要約】【課題】  携帯電話装置を用いた通話が行われている状態で、通話相手の情報通信機器と自らの情報通信機器とを簡単に接続することが可能な通信システムおよび接続方法を提供する。【解決手段】  制御部１ｆは、携帯電話装置１と携帯電話装置２とが接続している間に操作部１ｄが接続指示情報を受け付けると、映像通信装置３に対する携帯電話装置２の電話番号の送信を通信部１ｅに実行させる。通信部３ｄは、通信部１ｅから送信された携帯電話装置２の電話番号を受信する。制御部３ｆは、通信部３ｄによって受信された携帯電話装置２の電話番号と関連づけて格納部３ｃに格納されているアクセス情報を求め、求めたアクセス情報に基づいて通信部３ｅを動作させてインターネット５を介して通信部３ｅと映像通信装置４の通信部４ｅとを接続させる。【選択図】      図１
2005277681.tif 000002
【特許請求の範囲】
【請求項１】
携帯電話装置と情報通信装置とが個別に対応して設けられ、通話状態にある携帯電話装置間で、自己に対して設けられている情報通信装置に格納されている情報を通話相手先に対して設けらている情報通信装置に送信する通信システムであって、
各情報通信装置は、各携帯電話装置の電話番号とこれに対応して設けられている情報通信装置とが格納されている格納部を備え、
各携帯電話装置は自己に対して設けられている情報通信装置に格納されている情報を通話先携帯電話装置へ送出する場合には通話先携帯電話装置の電話番号を自己に対して設けられている情報通信装置に送出し、
各情報通信装置は、自己に対して関連付けられている携帯電話装置から電話番号を受け付けると、受け付けた電話番号に対して前記格納部に格納されている情報通信装置に対して情報を送出する、通信システム。
【請求項２】
請求項１に記載の通信システムにおいて、
前記情報は、映像情報またはデータファイル情報である、通信システム。
【請求項３】
第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムであって、
前記第１の携帯電話装置は、
前記第２の携帯電話装置との接続時に前記第２の携帯電話装置の電話番号を取得する電話番号取得部と、
前記第１のユーザによって入力されたまたは前記第２の携帯電話装置から供給された、前記第１の情報通信装置と前記第２の情報通信装置とを接続する旨の接続指示情報を受け付ける接続指示情報受付部と、
前記第１の携帯電話装置と前記第２の携帯電話装置とが接続している間に、前記接続指示情報受付部が前記接続指示情報を受け付けると、前記電話番号取得部によって取得された第２の携帯電話装置の電話番号を前記第１の情報通信装置に送信する電話番号送信部とを含み、
前記第１の情報通信装置は、
前記第２の携帯電話装置の電話番号と前記第２の情報通信装置にアクセスするためのアクセス情報とを関連づけて格納する格納部と、
前記電話番号送信部から送信された第２の携帯電話装置の電話番号を受信する電話番号受信部と、
前記電話番号受信部によって受信された第２の携帯電話装置の電話番号と関連づけて前記格納部に格納されているアクセス情報に基づいて前記第２の情報通信装置と接続する接続部とを含む、通信システム。
【請求項４】
請求項３に記載の通信システムにおいて、前記格納部は、前記アクセス情報として、前記第２の情報通信装置のＩＰアドレスを格納している、通信システム。
【請求項５】
請求項３に記載の通信システムにおいて、
前記格納部は、前記アクセス情報として、前記第２の情報通信装置のＵＲＬを格納し、
前記接続部は、
前記電話番号受信部によって受信された第２の携帯電話装置の電話番号と関連づけて前記格納部に格納されている第２の情報通信装置のＵＲＬに対応するＩＰアドレスをＩＰアドレス管理サーバから取得するＩＰアドレス取得部と、
前記ＩＰアドレス取得部によって取得されたＩＰアドレスに基づいて前記第２の情報通信装置と接続するＩＰアドレス接続部とを含む、通信システム。
【請求項６】
請求項５に記載の通信システムにおいて、前記ＩＰアドレス管理サーバは、ＤＮＳサーバまたはＤＤＮＳサーバである、通信システム。
【請求項７】
請求項３ないし６のいずれか１項に記載の通信システムにおいて、
前記格納部は、前記第２の携帯電話装置の電話番号と、第２のユーザによって使用される複数の情報通信装置のそれぞれを識別するための識別情報と、前記第２のユーザによって使用される複数の情報通信装置のそれぞれのアクセス情報とを関連づけて格納し、
前記第１の携帯電話装置は、
前記第２のユーザによって使用される複数の情報通信装置の中から前記第２の情報通信装置として前記第１のユーザによって選択された情報通信装置を識別するための識別情報を受け付ける識別情報入力部と、
前記識別情報入力部によって受け付けられた識別情報を前記第１の情報通信装置に送信する識別情報送信部とをさらに含み、
前記第１の情報通信装置は、前記識別情報送信部から送信された識別信号を受信する識別情報受信部をさらに含み、
前記接続部は、前記電話番号受信部によって受信された第２の携帯電話装置の電話番号および前記識別情報受信部によって受信された識別情報と関連づけて前記格納部に格納されているアクセス情報に基づいて前記第２の情報通信装置と接続する、通信システム。
【請求項８】
請求項３ないし６のいずれか１項に記載の通信システムにおいて、
前記第１の携帯電話装置は、
第２のユーザによって使用される複数の情報通信装置の中から第１のユーザによって選択された情報通信装置を前記第２の情報通信装置として示した第２の選択情報を受け付ける第２の選択情報入力部と、
前記第２の選択情報入力部によって受け付けられた第２の選択情報を前記第２の携帯電話装置に送信する第２の選択情報送信部とをさらに含み、
前記第２の携帯電話装置は、
前記第２の選択情報送信部から送信された第２の選択情報を受信する第２の選択情報受信部と、
前記第２のユーザによって使用される複数の情報通信装置の中で、前記第２の選択情報受信部によって受信された第２の選択情報によって前記第２の情報通信装置として示された情報通信装置にのみ前記第１の情報通信装置との接続を許可する接続許可信号を送信する接続許可信号送信部とをさらに含み、
前記第２のユーザによって使用される複数の情報通信装置のそれぞれは、
前記接続許可信号送信部から送信された接続許可信号を受信する接続許可信号受信部と、
前記接続許可信号受信部によって前記接続許可信号が受信された際に、前記第１の情報通信装置との接続を許容する接続制御部とを含む、通信システム。
【請求項９】
請求項３ないし８のいずれか１項に記載の通信システムにおいて、
前記第１の携帯電話装置は、第１のユーザによって使用される複数の情報通信装置の中から第１のユーザによって選択された情報通信装置を前記第１の情報通信装置として示した第１の選択情報を受け付ける第１の選択情報入力部をさらに含み、
前記電話番号送信部は、前記第１の携帯電話装置と前記第２の携帯電話装置とが接続している間に、前記接続指示情報受付部が前記接続指示情報を受け付けると、前記第１の選択情報入力部によって受け付けられた第１の選択情報によって示された第１の情報通信装置に前記第２の携帯電話装置の電話番号を送信する、通信システム。
【請求項１０】
請求項３ないし９のいずれか１項に記載の通信システムにおいて、
前記第１の携帯電話装置は、
前記第１のユーザによって入力された、前記第２の情報通信装置の動作を制御する動作制御信号を受け付ける動作制御信号入力部と、
前記動作制御信号入力部によって受け付けられた動作制御信号を、前記第２の携帯電話装置経由または前記第１の情報通信装置経由で、前記第２の情報通信装置に送信する動作制御信号送信部とをさらに含む、通信システム。
【請求項１１】
第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムであって、
前記第２の携帯電話装置は、
前記第２の携帯電話装置が前記第１の携帯電話装置と接続している間に、前記第２のユーザによって入力されたまたは前記第１の携帯電話装置から供給された、前記第１の情報通信装置と前記第２の情報通信装置とを接続する旨の接続指示情報を受け付ける接続指示情報受付部と、
前記接続指示情報受付部によって前記接続指示情報が受け付けられると、前記第２の情報通信装置に対して前記第２の情報通信装置のアクセス情報を要求する旨のアクセス情報要求情報を送信する要求情報送信部と、
前記要求情報送信部から送信されたアクセス情報要求情報に応じて前記第２の情報通信装置から送信された第２の情報通信装置のアクセス情報を受信するアクセス情報受信部と、
前記アクセス情報受信部によって受信された第２の情報通信装置のアクセス情報を前記第１の携帯電話装置に送信するアクセス情報送信部とを含み、
前記第２の情報通信装置は、
前記要求情報送信部から送信されたアクセス情報要求情報を受信する要求情報受信部と、
前記要求情報受信部によって前記アクセス情報要求情報が受信された際に、前記第２の情報通信装置のアクセス情報を前記第２の携帯電話装置に送信する応答情報送信部とを含み、
前記第１の携帯電話装置は、
前記アクセス情報送信部から送信された第２の情報通信装置のアクセス情報を受信する受信部と、
前記受信部によって受信された第２の情報通信装置のアクセス情報を前記第１の情報通信装置に送信する送信部とを含み、
前記第１の情報通信装置は、
前記送信部から送信された第２の情報通信装置のアクセス情報を受信する情報受信部と、
前記情報受信部によって受信された第２の情報通信装置のアクセス情報に基づいて前記第２の情報通信装置と接続する接続部とを含む、通信システム。
【請求項１２】
請求項１１に記載の通信システムにおいて、前記第２の情報通信装置のアクセス情報は、前記第２の情報通信装置のＩＰアドレスである、通信システム。
【請求項１３】
請求項１１または１２に記載の通信システムにおいて、
前記第１の携帯電話装置は、第１のユーザによって使用される複数の情報通信装置の中から第１のユーザによって選択された情報通信装置を前記第１の情報通信装置として示した第１の選択情報を受け付ける第１の選択情報入力部をさらに含み、
前記送信部は、前記第１の選択情報入力部によって受け付けられた第１の選択情報によって示された第１の情報通信装置に、前記受信部によって受信された第２の情報通信装置のアクセス情報を送信する、通信システム。
【請求項１４】
請求項１１ないし１３のいずれか１項に記載の通信システムにおいて、
前記第１の携帯電話装置は、
第２のユーザによって使用される複数の情報通信装置の中から第１のユーザによって選択された情報通信装置を前記第２の情報通信装置として示した第２の選択情報を受け付ける第２の選択情報入力部と、
前記第２の選択情報入力部によって受け付けられた第２の選択情報を前記第２の携帯電話装置に送信する第２の選択情報送信部とをさらに含み、
前記第２の携帯電話装置は、
前記第２の選択情報送信部から送信された第２の選択情報を受信する第２の選択情報受信部と、
前記第２のユーザによって使用される複数の情報通信装置の中で、前記第２の選択情報受信部によって受信された第２の選択情報によって前記第２の情報通信装置として示された情報通信装置にのみ前記第１の情報通信装置との接続を許可する接続許可信号を送信する接続許可信号送信部とをさらに含み、
前記第２のユーザによって使用される複数の情報通信装置のそれぞれは、
前記接続許可信号送信部から送信された接続許可信号を接続許可信号受信部と、
前記接続許可信号受信部によって前記接続許可信号が受信された際に、前記第１の情報通信装置との接続を許容する接続制御部とを含む、通信システム。
【請求項１５】
請求項１１ないし１４のいずれか１項に記載の通信システムにおいて、
前記第１の携帯電話装置は、
前記第１のユーザによって入力された、前記第２の情報通信装置の動作を制御する動作制御信号を受け付ける動作制御信号入力部と、
前記動作制御信号入力部によって受け付けられた動作制御信号を、前記第２の携帯電話装置経由または前記第１の情報通信装置経由で、前記第２の情報通信装置に送信する動作制御信号送信部とをさらに含む、通信システム。
【請求項１６】
第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ接続サーバを介して情報を送信する通信システムであって、
前記第１の携帯電話装置は、
前記第１の携帯電話装置と前記第２の携帯電話装置とが接続している間に、前記第１の情報通信装置と前記第２の情報通信装置とを接続する旨の接続指示情報を受け付ける第１の接続指示情報受付部と、
前記第１の接続指示情報受付部によって前記接続指示情報が受け付けられた際に前記第１の情報通信装置に接続用識別情報を送信する第１の送信部とを含み、
前記第２の携帯電話装置は、
前記第１の携帯電話装置と前記第２の携帯電話装置とが接続している間に、前記接続指示情報を受け付ける第２の接続指示情報受付部と、
前記第２の接続指示情報受付部によって前記接続指示情報が受け付けられた際に前記第２の情報通信装置に前記接続用識別情報を送信する第２の送信部とを含み、
前記第１の情報通信装置は、
前記第１の送信部から送信された接続用識別情報を受信する第１の受信部と、
前記第１の受信部によって受信された接続用識別情報を前記接続サーバに送信する第３の送信部とを含み、
前記第２の情報通信装置は、
前記第２の送信部から送信された接続用識別情報を受信する第２の受信部と、
前記第２の受信部によって受信された接続用識別情報を前記接続サーバに送信する第４の送信部とを含み、
前記接続サーバは、前記第３の送信部から送信された接続用識別情報と前記第４の送信部から送信された接続用識別情報とが同じ場合に、前記第１の情報通信装置と前記第２の情報通信装置とを接続する、通信システム。
【請求項１７】
請求項１６に記載の通信システムにおいて、
前記第１の携帯電話装置は、
前記第１のユーザによって入力された、前記第２の情報通信装置の動作を制御する動作制御信号を受け付ける動作制御信号入力部と、
前記動作制御信号入力部によって入力された動作制御信号を、前記第２の携帯電話装置経由または前記第１の情報通信装置経由で、前記第２の情報通信装置に送信する動作制御信号送信部とをさらに含む、通信システム。
【請求項１８】
携帯電話装置と情報通信装置とが個別に対応して設けられ、通話状態にある携帯電話装置間で、自己に対して設けられている情報通信装置に格納されている情報を通話相手先に対して設けらている情報通信装置に送信する通信システムが行う接続方法であって、
各情報通信装置は、各携帯電話装置の電話番号とこれに対応して設けられている情報通信装置とが格納されている格納部を備え、
各携帯電話装置は自己に対して設けられている情報通信装置に格納されている情報を通話先携帯電話装置へ送出する場合には通話先携帯電話装置の電話番号を自己に対して設けられている情報通信装置に送出し、
各情報通信装置は、自己に対して関連付けられている携帯電話装置から電話番号を受け付けると、受け付けた電話番号に対して前記格納部に格納されている情報通信装置に対して情報を送出する、接続方法。
【請求項１９】
請求項１８に記載の通信方法において、
前記情報は、映像情報またはデータファイル情報である、接続方法。
【請求項２０】
第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムが行う接続方法であって、
前記第１の携帯電話装置が前記第２の携帯電話装置との接続時に前記第２の携帯電話装置の電話番号を取得する電話番号取得ステップと、
前記第１の携帯電話装置が前記第１のユーザによって入力されたまたは前記第２の携帯電話装置から供給された前記第１の情報通信装置と前記第２の情報通信装置とを接続する旨の接続指示情報を受け付ける接続指示情報受付ステップと、
前記第１の携帯電話装置と前記第２の携帯電話装置とが接続している間に前記接続指示情報受付ステップで前記接続指示情報を受け付けると、前記第１の携帯電話装置が前記電話番号取得ステップによって取得された第２の携帯電話装置の電話番号を前記第１の情報通信装置に送信する電話番号送信ステップと、
前記第１の情報通信装置が前記電話番号送信ステップで送信された第２の携帯電話装置の電話番号を受信する電話番号受信ステップと、
前記第２の携帯電話装置の電話番号と前記第２の情報通信装置にアクセスするためのアクセス情報とを関連づけて格納する格納部において前記電話番号受信ステップで受信された第２の携帯電話装置の電話番号と関連づけて格納されているアクセス情報に基づいて前記第１の情報通信装置が前記第２の情報通信装置と接続する接続ステップとを含む、接続方法。
【請求項２１】
請求項２０に記載の接続方法において、前記格納部は、前記アクセス情報として、前記第２の情報通信装置のＩＰアドレスを格納している、接続方法。
【請求項２２】
請求項２０に記載の接続方法において、
前記格納部は、前記アクセス情報として、前記第２の情報通信装置のＵＲＬを格納し、
前記接続ステップは、
前記電話番号受信ステップによって受信された第２の携帯電話装置の電話番号と関連づけて前記格納部に格納されている第２の情報通信装置のＵＲＬに対応するＩＰアドレスをＩＰアドレス管理サーバから取得するＩＰアドレス取得ステップと、
前記ＩＰアドレス取得ステップによって取得されたＩＰアドレスに基づいて前記第２の情報通信装置と接続するＩＰアドレス接続ステップとを含む、接続方法。
【請求項２３】
請求項２２に記載の接続方法において、前記ＩＰアドレス管理サーバは、ＤＮＳサーバまたはＤＤＮＳサーバである、接続方法。
【請求項２４】
請求項２０ないし２３のいずれか１項に記載の接続方法において、
前記格納部は、前記第２の携帯電話装置の電話番号と、第２のユーザによって使用される複数の情報通信装置のそれぞれを識別するための識別情報と、前記第２のユーザによって使用される複数の情報通信装置のそれぞれのアクセス情報とを関連づけて格納し、
前記第１の携帯電話装置が前記第２のユーザによって使用される複数の情報通信装置の中から前記第２の情報通信装置として前記第１のユーザによって選択された情報通信装置を識別するための識別情報を受け付ける識別情報入力ステップと、
前記第１の携帯電話装置が前記識別情報入力ステップによって受け付けられた識別情報を前記第１の情報通信装置に送信する識別情報送信ステップと、
前記第１の情報通信装置が前記識別情報送信ステップで送信された識別信号を受信する識別情報受信ステップとをさらに含み、
前記接続ステップは、前記電話番号受信ステップによって受信された第２の携帯電話装置の電話番号および前記識別情報受信ステップによって受信された識別情報と関連づけて前記格納部に格納されているアクセス情報に基づいて前記第２の情報通信装置と接続する、接続方法。
【請求項２５】
請求項２０ないし２３のいずれか１項に記載の接続方法において、
前記第１の携帯電話装置が第２のユーザによって使用される複数の情報通信装置の中から第１のユーザによって選択された情報通信装置を前記第２の情報通信装置として示した第２の選択情報を受け付ける第２の選択情報入力ステップと、
前記第１の携帯電話装置が前記第２の選択情報入力ステップによって受け付けられた第２の選択情報を前記第２の携帯電話装置に送信する第２の選択情報送信ステップと、
前記第２の携帯電話装置が前記第２の選択情報送信ステップで送信された第２の選択情報を受信する第２の選択情報受信ステップと、
前記第２の携帯電話装置が前記第２のユーザによって使用される複数の情報通信装置の中で、前記第２の選択情報受信ステップで受信された第２の選択情報によって前記第２の情報通信装置として示された情報通信装置にのみ前記第１の情報通信装置との接続を許可する接続許可信号を送信する接続許可信号送信ステップと、
前記第２の情報通信装置が前記接続許可信号送信ステップで送信された接続許可信号を受信する接続許可信号受信ステップと、
前記第２の情報通信装置が前記接続許可信号受信ステップで前記接続許可信号が受信された際に、前記第１の情報通信装置との接続を許容する接続制御ステップとをさらに含む、接続方法。
【請求項２６】
請求項２０ないし２５のいずれか１項に記載の接続方法において、
前記第１の携帯電話装置が第１のユーザによって使用される複数の情報通信装置の中から第１のユーザによって選択された情報通信装置を前記第１の情報通信装置として示した第１の選択情報を受け付ける第１の選択情報入力ステップをさらに含み、
前記電話番号送信ステップは、前記第１の携帯電話装置と前記第２の携帯電話装置とが接続している間に、前記接続指示情報受付ステップで前記接続指示情報を受け付けると、前記第１の選択情報入力ステップで受け付けられた第１の選択情報によって示された第１の情報通信装置に前記第２の携帯電話装置の電話番号を送信する、接続方法。
【請求項２７】
請求項２０ないし２６のいずれか１項に記載の接続方法において、
前記第１の携帯電話装置が前記第１のユーザによって入力された前記第２の情報通信装置の動作を制御する動作制御信号を受け付ける動作制御信号入力ステップと、
前記第１の携帯電話装置が前記動作制御信号入力ステップで受け付けられた動作制御信号を、前記第２の携帯電話装置経由または前記第１の情報通信装置経由で、前記第２の情報通信装置に送信する動作制御信号送信ステップとをさらに含む、接続方法。
【請求項２８】
第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムが行う接続方法であって、
前記第２の携帯電話装置が前記第１の携帯電話装置と接続している間に前記第２の携帯電話装置が前記第２のユーザによって入力されたまたは前記第１の携帯電話装置から供給された前記第１の情報通信装置と前記第２の情報通信装置とを接続する旨の接続指示情報を受け付ける接続指示情報受付ステップと、
前記接続指示情報受付ステップで前記接続指示情報を受け付けると、前記第２の携帯電話装置が前記第２の情報通信装置に対して前記第２の情報通信装置のアクセス情報を要求する旨のアクセス情報要求情報を送信する要求情報送信ステップと、
前記第２の情報通信装置が前記要求情報送信ステップで送信されたアクセス情報要求情報を受信する要求情報受信ステップと、
前記要求情報受信ステップで前記アクセス情報要求情報を受信した際に、前記第２の情報通信装置が前記第２の情報通信装置のアクセス情報を前記第２の携帯電話装置に送信する応答情報送信ステップと、
前記第２の携帯電話装置が前記応答情報送信ステップで送信された第２の情報通信装置のアクセス情報を受信するアクセス情報受信ステップと、
前記第２の携帯電話装置が前記アクセス情報受信ステップで受信された第２の情報通信装置のアクセス情報を前記第１の携帯電話装置に送信するアクセス情報送信ステップと、
前記第１の携帯電話装置が前記アクセス情報送信ステップで送信された第２の情報通信装置のアクセス情報を受信する受信ステップと、
前記第１の携帯電話装置が前記受信ステップで受信された第２の情報通信装置のアクセス情報を前記第１の情報通信装置に送信する送信ステップと、
前記第１の情報通信装置が前記送信ステップで送信された第２の情報通信装置のアクセス情報を受信する情報受信ステップと、
前記第１の情報通信装置が前記情報受信ステップで受信された第２の情報通信装置のアクセス情報に基づいて前記第２の情報通信装置と接続する接続ステップとを含む、接続方法。
【請求項２９】
請求項２８に記載の接続方法において、前記第２の情報通信装置のアクセス情報は、前記第２の情報通信装置のＩＰアドレスである、接続方法。
【請求項３０】
請求項２８または２９に記載の接続方法において、
前記第１の携帯電話装置が第１のユーザによって使用される複数の情報通信装置の中から第１のユーザによって選択された情報通信装置を前記第１の情報通信装置として示した第１の選択情報を受け付ける第１の選択情報入力ステップをさらに含み、
前記送信ステップは、前記第１の選択情報入力ステップで受け付けた第１の選択情報によって示された第１の情報通信装置に、前記受信ステップで受信された第２の情報通信装置のアクセス情報を送信する、接続方法。
【請求項３１】
請求項２８ないし３０のいずれか１項に記載の接続方法において、
前記第１の携帯電話装置が第２のユーザによって使用される複数の情報通信装置の中から第１のユーザによって選択された情報通信装置を前記第２の情報通信装置として示した第２の選択情報を受け付ける第２の選択情報入力ステップと、
前記第１の携帯電話装置が前記第２の選択情報入力ステップで受け付けられた第２の選択情報を前記第２の携帯電話装置に送信する第２の選択情報送信ステップと、
前記第２の携帯電話装置が前記第２の選択情報送信ステップで送信された第２の選択情報を受信する第２の選択情報受信ステップと、
前記第２の携帯電話装置が前記第２のユーザによって使用される複数の情報通信装置の中で前記第２の選択情報受信ステップで受信された第２の選択情報によって前記第２の情報通信装置として示された情報通信装置にのみ前記第１の情報通信装置との接続を許可する接続許可信号を送信する接続許可信号送信ステップと、
前記第２の情報通信装置が前記接続許可信号送信ステップで送信された接続許可信号を受信する接続許可信号受信ステップと、
前記接続許可信号受信ステップで前記接続許可信号が受信された際に、前記第２の情報通信装置が前記第１の情報通信装置との接続を許容する接続制御ステップとをさらに含む、接続方法。
【請求項３２】
請求項２８ないし３１のいずれか１項に記載の接続方法において、
前記第１の携帯電話装置が前記第１のユーザによって入力された前記第２の情報通信装置の動作を制御する動作制御信号を受け付ける動作制御信号入力ステップと、
前記第１の携帯電話装置が前記動作制御信号入力ステップで受け付けた動作制御信号を前記第２の携帯電話装置経由または前記第１の情報通信装置経由で前記第２の情報通信装置に送信する動作制御信号送信ステップとをさらに含む、接続方法。
【請求項３３】
第１のユーザによって使用される第１の携帯電話装置と、前記第１のユーザによって使用される第１の情報通信装置と、第２のユーザによって使用される第２の携帯電話装置と、前記第２のユーザによって使用される第２の情報通信装置と、前記第１の情報通信装置と前記第２の情報通信装置との接続を制御する接続サーバとを含み、前記第１の携帯電話装置と前記第２の携帯電話装置とが前記接続サーバを介した前記第１の情報通信装置と前記第２の情報通信装置との接続を制御する通信システムが行う接続方法であって、
前記第１の携帯電話装置と前記第２の携帯電話装置とが接続している間に、前記第１の携帯電話装置が前記第１の情報通信装置と前記第２の情報通信装置とを接続する旨の接続指示情報を受け付ける第１の接続指示情報受付ステップと、
前記第１の携帯電話装置が前記第１の接続指示情報受付ステップで前記接続指示情報を受け付けた際に前記第１の情報通信装置に接続用識別情報を送信する第１の送信ステップと、
前記第１の携帯電話装置と前記第２の携帯電話装置とが接続している間に、前記第２の携帯電話装置が前記接続指示情報を受け付ける第２の接続指示情報受付ステップと、
前記第２の携帯電話装置が前記第２の接続指示情報受付ステップで前記接続指示情報を受け付けた際に前記第２の情報通信装置に前記接続用識別情報を送信する第２の送信ステップと、
前記第１の情報通信装置が前記第１の送信ステップで送信された接続用識別情報を受信する第１の受信ステップと、
前記第１の情報通信装置が前記第１の受信ステップで受信された接続用識別情報を前記接続サーバに送信する第３の送信ステップと、
前記第２の情報通信装置が前記第２の送信ステップで送信された接続用識別情報を受信する第２の受信ステップと、
前記第２の情報通信装置が前記第２の受信ステップで受信された接続用識別情報を前記接続サーバに送信する第４の送信ステップと、
前記接続サーバが前記第３の送信ステップで送信された接続用識別情報と前記第４の送信部ステップで送信された接続用識別情報とが同じ場合に、前記第１の情報通信装置と前記第２の情報通信装置とを接続する接続ステップとを含む、接続方法。
【請求項３４】
請求項３３に記載の接続方法において、
前記第１の携帯電話装置が前記第１のユーザによって入力された前記第２の情報通信装置の動作を制御する動作制御信号を受け付ける動作制御信号入力ステップと、
前記第１の携帯電話装置が前記動作制御信号入力ステップで入力された動作制御信号を、前記第２の携帯電話装置経由または前記第１の情報通信装置経由で、前記第２の情報通信装置に送信する動作制御信号送信ステップとをさらに含む、接続方法。
【発明の詳細な説明】
【技術分野】
【０００１】
本発明は、通信システムおよびその接続方法に関し、特には、携帯電話装置から供給される情報に基づいて２つの情報通信装置が接続される通信システムおよびその接続方法に関する。
【背景技術】
【０００２】
現在、携帯電話装置の普及により携帯電話装置を用いた通話が広く行われており、すべての通話をユーザの使い慣れた携帯電話装置で行いたいという要求が高まっている。
【０００３】
また、携帯電話装置のユーザは、携帯電話装置を用いて通話を行っている間に、音声と異なる情報の通信もその通話相手と行いたくなる場合がある。例えば、携帯電話装置のユーザは、携帯電話装置を用いて会話を行っている間に、動画情報の送受信を行うテレビ電話通信を行いたくなったり、静止画情報を通話相手に送信したくなったりする場合がある。
【０００４】
従来、携帯電話装置のユーザは、通話中に、音声と異なる情報の通信をその通話相手と行いたくなった場合、音声と異なる情報の通信に適した情報通信装置を操作して、その情報通信装置を通話相手側の音声と異なる情報の通信に適した情報通信装置と接続する作業を行っていた。
【０００５】
音声と異なる情報の通信に適した情報通信装置としては、例えば、特許文献１（特開２００３−１６０１４号公報）に記載の通信システムに含まれるインターネットテレビ電話機能付きパーソナルコンピュータ、特許文献２（特開２００２−２９０９３８号公報）に記載のテレビ電話システムおよび通信機能付きパーソナルコンピュータがある。
【０００６】
なお、特許文献１に記載の通信システムは、以下のようなシステムである。まず、第１の端末装置が、通信相手先である第２の端末装置のユーザが所有する携帯電話装置に、第１の端末装置のＩＰアドレスを電子メールで送信する。続いて、第２の端末装置のユーザが、自己の携帯電話装置に送信された第１の端末装置のＩＰアドレスを第２の端末装置の接続先ＵＲＬとして第２の端末装置に入力し、第１の端末装置と第２の端末装置とを接続する。
【特許文献１】特開２００３−１６０１４号公報
【特許文献２】特開２００２−２９０９３８号公報
【発明の開示】
【発明が解決しようとする課題】
【０００７】
携帯電話装置のユーザは、通話中に、音声と異なる情報の通信をその通話相手と行いたくなった場合、音声と異なる情報の通信に適した情報通信装置を操作して、その情報通信装置を通話相手側の音声と異なる情報の通信に適した情報通信装置と接続するという煩わしい作業を行わなければならなかった。
【０００８】
そこで、通話を開始する機器として、特許文献１または特許文献２に記載の装置を用いることが考えられる。しかしながら、この場合、通話を行うまで映像情報等の音声と異なる情報の通信が必要となるか否かわからない状態で、通話を行いたいユーザは、使い慣れた携帯電話装置のかわりに特殊な機器を扱わなければならなず、また、通話を利用者の使い慣れた携帯電話装置で行いたいという要求に応えることはできない。
【０００９】
本発明の目的は、携帯電話装置を用いた通話が行われている状態で、通話相手の情報通信機器と自らの情報通信機器とを簡単に接続することが可能な通信システムおよび接続方法を提供することである。
【課題を解決するための手段】
【００１０】
上記の目的を達成するために、本発明の通信システムは、携帯電話装置と情報通信装置とが個別に対応して設けられ、通話状態にある携帯電話装置間で、自己に対して設けられている情報通信装置に格納されている情報を通話相手先に対して設けらている情報通信装置に送信する通信システムであって、各情報通信装置は、各携帯電話装置の電話番号とこれに対応して設けられている情報通信装置とが格納されている格納部を備え、各携帯電話装置は自己に対して設けられている情報通信装置に格納されている情報を通話先携帯電話装置へ送出する場合には通話先携帯電話装置の電話番号を自己に対して設けられている情報通信装置に送出し、各情報通信装置は、自己に対して関連付けられている携帯電話装置から電話番号を受け付けると、受け付けた電話番号に対して前記格納部に格納されている情報通信装置に対して情報を送出する。
【００１１】
また、本発明の接続方法は、携帯電話装置と情報通信装置とが個別に対応して設けられ、通話状態にある携帯電話装置間で、自己に対して設けられている情報通信装置に格納されている情報を通話相手先に対して設けらている情報通信装置に送信する通信システムが行う接続方法であって、各情報通信装置は、各携帯電話装置の電話番号とこれに対応して設けられている情報通信装置とが格納されている格納部を備え、各携帯電話装置は自己に対して設けられている情報通信装置に格納されている情報を通話先携帯電話装置へ送出する場合には通話先携帯電話装置の電話番号を自己に対して設けられている情報通信装置に送出し、各情報通信装置は、自己に対して関連付けられている携帯電話装置から電話番号を受け付けると、受け付けた電話番号に対して前記格納部に格納されている情報通信装置に対して情報を送出する。
【００１２】
上記の発明によれば、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。
【００１３】
また、本発明の通信システムは、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムであって、前記第１の携帯電話装置は、前記第２の携帯電話装置との接続時に前記第２の携帯電話装置の電話番号を取得する電話番号取得部と、前記第１のユーザによって入力されたまたは前記第２の携帯電話装置から供給された、前記第１の情報通信装置と前記第２の情報通信装置とを接続する旨の接続指示情報を受け付ける接続指示情報受付部と、前記第１の携帯電話装置と前記第２の携帯電話装置とが接続している間に、前記接続指示情報受付部が前記接続指示情報を受け付けると、前記電話番号取得部によって取得された第２の携帯電話装置の電話番号を前記第１の情報通信装置に送信する電話番号送信部とを含み、前記第１の情報通信装置は、前記第２の携帯電話装置の電話番号と前記第２の情報通信装置にアクセスするためのアクセス情報とを関連づけて格納する格納部と、前記電話番号送信部から送信された第２の携帯電話装置の電話番号を受信する電話番号受信部と、前記電話番号受信部によって受信された第２の携帯電話装置の電話番号と関連づけて前記格納部に格納されているアクセス情報に基づいて前記第２の情報通信装置と接続する接続部とを含む。
【００１４】
また、本発明の接続方法は、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムが行う接続方法であって、前記第１の携帯電話装置が前記第２の携帯電話装置との接続時に前記第２の携帯電話装置の電話番号を取得する電話番号取得ステップと、前記第１の携帯電話装置が前記第１のユーザによって入力されたまたは前記第２の携帯電話装置から供給された前記第１の情報通信装置と前記第２の情報通信装置とを接続する旨の接続指示情報を受け付ける接続指示情報受付ステップと、前記第１の携帯電話装置と前記第２の携帯電話装置とが接続している間に前記接続指示情報受付ステップで前記接続指示情報を受け付けると、前記第１の携帯電話装置が前記電話番号取得ステップによって取得された第２の携帯電話装置の電話番号を前記第１の情報通信装置に送信する電話番号送信ステップと、前記第１の情報通信装置が前記電話番号送信ステップで送信された第２の携帯電話装置の電話番号を受信する電話番号受信ステップと、前記第２の携帯電話装置の電話番号と前記第２の情報通信装置にアクセスするためのアクセス情報とを関連づけて格納する格納部において前記電話番号受信ステップで受信された第２の携帯電話装置の電話番号と関連づけて格納されているアクセス情報に基づいて前記第１の情報通信装置が前記第２の情報通信装置と接続する接続ステップとを含む。
【００１５】
上記の発明によれば、第１の携帯電話装置は、第１の携帯電話装置と第２の携帯電話装置とが接続している間に、ユーザによって入力された接続指示情報を受け付けると、第２の携帯電話装置の電話番号を第１の情報通信装置に送信する。第１の情報通信装置は、第１の携帯電話装置から送信される第２の携帯電話装置の電話番号と関連づけて格納部に格納されているアクセス情報に基づいて第２の情報通信装置と接続する。このため、ユーザが携帯電話装置を用いた通話を行っている状態で携帯電話装置を操作して接続指示情報を入力すれば、第１の情報通信装置は第２の情報通信装置と自動的に接続する。
【００１６】
したがって、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。
【００１７】
また、前記格納部は、前記アクセス情報として、前記第２の情報通信装置のＩＰアドレスを格納していることが望ましい。
【００１８】
また、上記通信システムにおいて、前記格納部は、前記アクセス情報として、前記第２の情報通信装置のＵＲＬを格納し、前記接続部は、前記電話番号受信部によって受信された第２の携帯電話装置の電話番号と関連づけて前記格納部に格納されている第２の情報通信装置のＵＲＬに対応するＩＰアドレスをＩＰアドレス管理サーバから取得するＩＰアドレス取得部と、前記ＩＰアドレス取得部によって取得されたＩＰアドレスに基づいて前記第２の情報通信装置と接続するＩＰアドレス接続部とを含むことが望ましい。
【００１９】
また、上記接続方法において、前記格納部は、前記アクセス情報として、前記第２の情報通信装置のＵＲＬを格納し、前記接続ステップは、前記電話番号受信ステップによって受信された第２の携帯電話装置の電話番号と関連づけて前記格納部に格納されている第２の情報通信装置のＵＲＬに対応するＩＰアドレスをＩＰアドレス管理サーバから取得するＩＰアドレス取得ステップと、前記ＩＰアドレス取得ステップによって取得されたＩＰアドレスに基づいて前記第２の情報通信装置と接続するＩＰアドレス接続ステップとを含む  ことが望ましい。
【００２０】
また、前記ＩＰアドレス管理サーバは、ＤＮＳサーバまたはＤＤＮＳサーバであることが望ましい。
【００２１】
また、上記通信システムにおいて、前記格納部は、前記第２の携帯電話装置の電話番号と、第２のユーザによって使用される複数の情報通信装置のそれぞれを識別するための識別情報と、前記第２のユーザによって使用される複数の情報通信装置のそれぞれのアクセス情報とを関連づけて格納し、前記第１の携帯電話装置は、前記第２のユーザによって使用される複数の情報通信装置の中から前記第２の情報通信装置として前記第１のユーザによって選択された情報通信装置を識別するための識別情報を受け付ける識別情報入力部と、前記識別情報入力部によって受け付けられた識別情報を前記第１の情報通信装置に送信する識別情報送信部とをさらに含み、前記第１の情報通信装置は、前記識別情報送信部から送信された識別信号を受信する識別情報受信部をさらに含み、前記接続部は、前記電話番号受信部によって受信された第２の携帯電話装置の電話番号および前記識別情報受信部によって受信された識別情報と関連づけて前記格納部に格納されているアクセス情報に基づいて前記第２の情報通信装置と接続することが望ましい。
【００２２】
また、上記接続方法において、前記格納部は、前記第２の携帯電話装置の電話番号と、第２のユーザによって使用される複数の情報通信装置のそれぞれを識別するための識別情報と、前記第２のユーザによって使用される複数の情報通信装置のそれぞれのアクセス情報とを関連づけて格納し、前記第１の携帯電話装置が前記第２のユーザによって使用される複数の情報通信装置の中から前記第２の情報通信装置として前記第１のユーザによって選択された情報通信装置を識別するための識別情報を受け付ける識別情報入力ステップと、前記第１の携帯電話装置が前記識別情報入力ステップによって受け付けられた識別情報を前記第１の情報通信装置に送信する識別情報送信ステップと、前記第１の情報通信装置が前記識別情報送信ステップで送信された識別信号を受信する識別情報受信ステップとをさらに含み、前記接続ステップは、前記電話番号受信ステップによって受信された第２の携帯電話装置の電話番号および前記識別情報受信ステップによって受信された識別情報と関連づけて前記格納部に格納されているアクセス情報に基づいて前記第２の情報通信装置と接続することが望ましい。
【００２３】
上記の発明によれば、ユーザは複数の情報通信装置の中から接続を行いたい情報通信装置を選択することが可能となる。
【００２４】
また、上記通信システムにおいて、前記第１の携帯電話装置は、第２のユーザによって使用される複数の情報通信装置の中から第１のユーザによって選択された情報通信装置を前記第２の情報通信装置として示した第２の選択情報を受け付ける第２の選択情報入力部と、前記第２の選択情報入力部によって受け付けられた第２の選択情報を前記第２の携帯電話装置に送信する第２の選択情報送信部とをさらに含み、前記第２の携帯電話装置は、前記第２の選択情報送信部から送信された第２の選択情報を受信する第２の選択情報受信部と、前記第２のユーザによって使用される複数の情報通信装置の中で、前記第２の選択情報受信部によって受信された第２の選択情報によって前記第２の情報通信装置として示された情報通信装置にのみ前記第１の情報通信装置との接続を許可する接続許可信号を送信する接続許可信号送信部とをさらに含み、前記第２のユーザによって使用される複数の情報通信装置のそれぞれは、前記接続許可信号送信部から送信された接続許可信号を受信する接続許可信号受信部と、前記接続許可信号受信部によって前記接続許可信号が受信された際に、前記第１の情報通信装置との接続を許容する接続制御部とを含むことが望ましい。
【００２５】
また、上記接続方法において、前記第１の携帯電話装置が第２のユーザによって使用される複数の情報通信装置の中から第１のユーザによって選択された情報通信装置を前記第２の情報通信装置として示した第２の選択情報を受け付ける第２の選択情報入力ステップと、前記第１の携帯電話装置が前記第２の選択情報入力ステップによって受け付けられた第２の選択情報を前記第２の携帯電話装置に送信する第２の選択情報送信ステップと、前記第２の携帯電話装置が前記第２の選択情報送信ステップで送信された第２の選択情報を受信する第２の選択情報受信ステップと、前記第２の携帯電話装置が前記第２のユーザによって使用される複数の情報通信装置の中で、前記第２の選択情報受信ステップで受信された第２の選択情報によって前記第２の情報通信装置として示された情報通信装置にのみ前記第１の情報通信装置との接続を許可する接続許可信号を送信する接続許可信号送信ステップと、前記第２の情報通信装置が前記接続許可信号送信ステップで送信された接続許可信号を受信する接続許可信号受信ステップと、前記第２の情報通信装置が前記接続許可信号受信ステップで前記接続許可信号が受信された際に、前記第１の情報通信装置との接続を許容する接続制御ステップとをさらに含むことが望ましい。
【００２６】
上記の発明によれば、ユーザは複数の情報通信装置の中から接続を行いたい情報通信装置を選択することが可能となる。
【００２７】
また、上記通信システムにおいて、前記第１の携帯電話装置は、第１のユーザによって使用される複数の情報通信装置の中から第１のユーザによって選択された情報通信装置を前記第１の情報通信装置として示した第１の選択情報を受け付ける第１の選択情報入力部をさらに含み、前記電話番号送信部は、前記第１の携帯電話装置と前記第２の携帯電話装置とが接続している間に、前記接続指示情報受付部が前記接続指示情報を受け付けると、前記第１の選択情報入力部によって受け付けられた第１の選択情報によって示された第１の情報通信装置に前記第２の携帯電話装置の電話番号を送信することが望ましい。
【００２８】
また、上記接続方法において、前記第１の携帯電話装置が第１のユーザによって使用される複数の情報通信装置の中から第１のユーザによって選択された情報通信装置を前記第１の情報通信装置として示した第１の選択情報を受け付ける第１の選択情報入力ステップをさらに含み、前記電話番号送信ステップは、前記第１の携帯電話装置と前記第２の携帯電話装置とが接続している間に、前記接続指示情報受付ステップで前記接続指示情報を受け付けると、前記第１の選択情報入力ステップで受け付けられた第１の選択情報によって示された第１の情報通信装置に前記第２の携帯電話装置の電話番号を送信することが望ましい。
【００２９】
上記の発明によれば、ユーザは複数の情報通信装置の中から接続を行いたい情報通信装置を選択することが可能となる。
【００３０】
また、本発明の通信システムは、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムであって、前記第２の携帯電話装置は、前記第２の携帯電話装置が前記第１の携帯電話装置と接続している間に、前記第２のユーザによって入力されたまたは前記第１の携帯電話装置から供給された、前記第１の情報通信装置と前記第２の情報通信装置とを接続する旨の接続指示情報を受け付ける接続指示情報受付部と、前記接続指示情報受付部によって前記接続指示情報が受け付けられると、前記第２の情報通信装置に対して前記第２の情報通信装置のアクセス情報を要求する旨のアクセス情報要求情報を送信する要求情報送信部と、前記要求情報送信部から送信されたアクセス情報要求情報に応じて前記第２の情報通信装置から送信された第２の情報通信装置のアクセス情報を受信するアクセス情報受信部と、前記アクセス情報受信部によって受信された第２の情報通信装置のアクセス情報を前記第１の携帯電話装置に送信するアクセス情報送信部とを含み、前記第２の情報通信装置は、前記要求情報送信部から送信されたアクセス情報要求情報を受信する要求情報受信部と、前記要求情報受信部によって前記アクセス情報要求情報が受信された際に、前記第２の情報通信装置のアクセス情報を前記第２の携帯電話装置に送信する応答情報送信部とを含み、前記第１の携帯電話装置は、前記アクセス情報送信部から送信された第２の情報通信装置のアクセス情報を受信する受信部と、前記受信部によって受信された第２の情報通信装置のアクセス情報を前記第１の情報通信装置に送信する送信部とを含み、前記第１の情報通信装置は、前記送信部から送信された第２の情報通信装置のアクセス情報を受信する情報受信部と、前記情報受信部によって受信された第２の情報通信装置のアクセス情報に基づいて前記第２の情報通信装置と接続する接続部とを含む。
【００３１】
また、本発明の接続方法は、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムが行う接続方法であって、前記第２の携帯電話装置が前記第１の携帯電話装置と接続している間に前記第２の携帯電話装置が前記第２のユーザによって入力されたまたは前記第１の携帯電話装置から供給された前記第１の情報通信装置と前記第２の情報通信装置とを接続する旨の接続指示情報を受け付ける接続指示情報受付ステップと、前記接続指示情報受付ステップで前記接続指示情報を受け付けると、前記第２の携帯電話装置が前記第２の情報通信装置に対して前記第２の情報通信装置のアクセス情報を要求する旨のアクセス情報要求情報を送信する要求情報送信ステップと、前記第２の情報通信装置が前記要求情報送信ステップで送信されたアクセス情報要求情報を受信する要求情報受信ステップと、前記要求情報受信ステップで前記アクセス情報要求情報を受信した際に、前記第２の情報通信装置が前記第２の情報通信装置のアクセス情報を前記第２の携帯電話装置に送信する応答情報送信ステップと、前記第２の携帯電話装置が前記応答情報送信ステップで送信された第２の情報通信装置のアクセス情報を受信するアクセス情報受信ステップと、前記第２の携帯電話装置が前記アクセス情報受信ステップで受信された第２の情報通信装置のアクセス情報を前記第１の携帯電話装置に送信するアクセス情報送信ステップと、前記第１の携帯電話装置が前記アクセス情報送信ステップで送信された第２の情報通信装置のアクセス情報を受信する受信ステップと、前記第１の携帯電話装置が前記受信ステップで受信された第２の情報通信装置のアクセス情報を前記第１の情報通信装置に送信する送信ステップと、前記第１の情報通信装置が前記送信ステップで送信された第２の情報通信装置のアクセス情報を受信する情報受信ステップと、前記第１の情報通信装置が前記情報受信ステップで受信された第２の情報通信装置のアクセス情報に基づいて前記第２の情報通信装置と接続する接続ステップとを含む。
【００３２】
上記の発明によれば、第２の携帯電話装置は、第１の携帯電話装置と第２の携帯電話装置とが接続している間に、ユーザによって入力された接続指示情報を受け付けると、第２の情報通信装置のアクセス情報を第２の情報通信装置から取得し、取得した第２の情報通信装置のアクセス情報を第１の携帯電話装置に送信する。第１の携帯電話装置は、第２の携帯電話装置から送信された第２の情報通信装置のアクセス情報を第１の情報通信装置に送信する。第１の情報通信装置は、第１の携帯電話装置から送信された第２の情報通信装置のアクセス情報に基づいて第２の情報通信装置と接続する。このため、ユーザが携帯電話装置を用いた通話を行っている状態で携帯電話装置を操作して接続指示情報を入力すれば、第１の情報通信装置は第２の情報通信装置と自動的に接続する。
【００３３】
したがって、携帯電話装置を用いて通話を行っているユーザは、携帯電話装置と異なる情報通信装置を操作するという煩わしい作業を行うことなく、通話相手の情報通信機器と自らの情報通信機器とを簡単に接続することが可能となる。
【００３４】
また、前記第２の情報通信装置のアクセス情報は、前記第２の情報通信装置のＩＰアドレスであることが望ましい。
【００３５】
また、上記通信システムにおいて、前記第１の携帯電話装置は、第１のユーザによって使用される複数の情報通信装置の中から第１のユーザによって選択された情報通信装置を前記第１の情報通信装置として示した第１の選択情報を受け付ける第１の選択情報入力部をさらに含み、前記送信部は、前記第１の選択情報入力部によって受け付けられた第１の選択情報によって示された第１の情報通信装置に、前記受信部によって受信された第２の情報通信装置のアクセス情報を送信することが望ましい。
【００３６】
また、上記接続方法において、前記第１の携帯電話装置が第１のユーザによって使用される複数の情報通信装置の中から第１のユーザによって選択された情報通信装置を前記第１の情報通信装置として示した第１の選択情報を受け付ける第１の選択情報入力ステップをさらに含み、前記送信ステップは、前記第１の選択情報入力ステップで受け付けた第１の選択情報によって示された第１の情報通信装置に、前記受信ステップで受信された第２の情報通信装置のアクセス情報を送信することが望ましい。
【００３７】
上記の発明によれば、ユーザは複数の情報通信装置の中から接続を行いたい情報通信装置を選択することが可能となる。
【００３８】
また、上記通信システムにおいて、前記第１の携帯電話装置は、第２のユーザによって使用される複数の情報通信装置の中から第１のユーザによって選択された情報通信装置を前記第２の情報通信装置として示した第２の選択情報を受け付ける第２の選択情報入力部と、前記第２の選択情報入力部によって受け付けられた第２の選択情報を前記第２の携帯電話装置に送信する第２の選択情報送信部とをさらに含み、前記第２の携帯電話装置は、前記第２の選択情報送信部から送信された第２の選択情報を受信する第２の選択情報受信部と、前記第２のユーザによって使用される複数の情報通信装置の中で、前記第２の選択情報受信部によって受信された第２の選択情報によって前記第２の情報通信装置として示された情報通信装置にのみ前記第１の情報通信装置との接続を許可する接続許可信号を送信する接続許可信号送信部とをさらに含み、前記第２のユーザによって使用される複数の情報通信装置のそれぞれは、前記接続許可信号送信部から送信された接続許可信号を接続許可信号受信部と、前記接続許可信号受信部によって前記接続許可信号が受信された際に、前記第１の情報通信装置との接続を許容する接続制御部とを含むことが望ましい。
【００３９】
また、上記接続方法において、前記第１の携帯電話装置が第２のユーザによって使用される複数の情報通信装置の中から第１のユーザによって選択された情報通信装置を前記第２の情報通信装置として示した第２の選択情報を受け付ける第２の選択情報入力ステップと、前記第１の携帯電話装置が前記第２の選択情報入力ステップで受け付けられた第２の選択情報を前記第２の携帯電話装置に送信する第２の選択情報送信ステップと、前記第２の携帯電話装置が前記第２の選択情報送信ステップで送信された第２の選択情報を受信する第２の選択情報受信ステップと、前記第２の携帯電話装置が前記第２のユーザによって使用される複数の情報通信装置の中で前記第２の選択情報受信ステップで受信された第２の選択情報によって前記第２の情報通信装置として示された情報通信装置にのみ前記第１の情報通信装置との接続を許可する接続許可信号を送信する接続許可信号送信ステップと、前記第２の情報通信装置が前記接続許可信号送信ステップで送信された接続許可信号を受信する接続許可信号受信ステップと、前記接続許可信号受信ステップで前記接続許可信号が受信された際に、前記第２の情報通信装置が前記第１の情報通信装置との接続を許容する接続制御ステップとをさらに含むことが望ましい。
【００４０】
上記の発明によれば、ユーザは複数の情報通信装置の中から接続を行いたい情報通信装置を選択することが可能となる。
【００４１】
また、本発明の通信システムは、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムであって、前記第１の携帯電話装置は、前記第１の携帯電話装置と前記第２の携帯電話装置とが接続している間に、前記第１の情報通信装置と前記第２の情報通信装置とを接続する旨の接続指示情報を受け付ける第１の接続指示情報受付部と、前記第１の接続指示情報受付部によって前記接続指示情報が受け付けられた際に前記第１の情報通信装置に接続用識別情報を送信する第１の送信部とを含み、前記第２の携帯電話装置は、前記第１の携帯電話装置と前記第２の携帯電話装置とが接続している間に、前記接続指示情報を受け付ける第２の接続指示情報受付部と、前記第２の接続指示情報受付部によって前記接続指示情報が受け付けられた際に前記第２の情報通信装置に前記接続用識別情報を送信する第２の送信部とを含み、前記第１の情報通信装置は、前記第１の送信部から送信された接続用識別情報を受信する第１の受信部と、前記第１の受信部によって受信された接続用識別情報を前記接続サーバに送信する第３の送信部とを含み、前記第２の情報通信装置は、前記第２の送信部から送信された接続用識別情報を受信する第２の受信部と、前記第２の受信部によって受信された接続用識別情報を前記接続サーバに送信する第４の送信部とを含み、前記接続サーバは、前記第３の送信部から送信された接続用識別情報と前記第４の送信部から送信された接続用識別情報とが同じ場合に、前記第１の情報通信装置と前記第２の情報通信装置とを接続する。
【００４２】
また、本発明の接続方法は、第１のユーザによって使用される互に関連付けられた第１の携帯電話装置および第１の情報通信装置と、第２のユーザによって使用される互に関連付けられた第２の携帯電話装置および第２の情報通信装置と、を含み、前記第１の携帯電話装置と前記第２の携帯電話装置とが接続している際に、前記第１の情報通信装置が前記第１の携帯電話装置から供給される情報に基づいて前記第２の情報通信装置へ情報を送信する通信システムが行う接続方法であって、前記第１の携帯電話装置と前記第２の携帯電話装置とが接続している間に、前記第１の携帯電話装置が前記第１の情報通信装置と前記第２の情報通信装置とを接続する旨の接続指示情報を受け付ける第１の接続指示情報受付ステップと、前記第１の携帯電話装置が前記第１の接続指示情報受付ステップで前記接続指示情報を受け付けた際に前記第１の情報通信装置に接続用識別情報を送信する第１の送信ステップと、前記第１の携帯電話装置と前記第２の携帯電話装置とが接続している間に、前記第２の携帯電話装置が前記接続指示情報を受け付ける第２の接続指示情報受付ステップと、前記第２の携帯電話装置が前記第２の接続指示情報受付ステップで前記接続指示情報を受け付けた際に前記第２の情報通信装置に前記接続用識別情報を送信する第２の送信ステップと、前記第１の情報通信装置が前記第１の送信ステップで送信された接続用識別情報を受信する第１の受信ステップと、前記第１の情報通信装置が前記第１の受信ステップで受信された接続用識別情報を前記接続サーバに送信する第３の送信ステップと、前記第２の情報通信装置が前記第２の送信ステップで送信された接続用識別情報を受信する第２の受信ステップと、前記第２の情報通信装置が前記第２の受信ステップで受信された接続用識別情報を前記接続サーバに送信する第４の送信ステップと、前記接続サーバが前記第３の送信ステップで送信された接続用識別情報と前記第４の送信部ステップで送信された接続用識別情報とが同じ場合に、前記第１の情報通信装置と前記第２の情報通信装置とを接続する接続ステップとを含む。
【００４３】
上記の発明によれば、第１の携帯電話装置は、第１の携帯電話装置と第２の携帯電話装置とが接続している間に、ユーザによって入力された接続指示情報を受け付けると、第１の情報通信装置に接続用識別情報を送信し、第１の情報通信装置は、その接続用識別情報を接続サーバに送信する。また、第２の携帯電話装置は、第１の携帯電話装置と第２の携帯電話装置とが接続している間に、ユーザによって入力された接続指示情報を受け付けると、第２の情報通信装置に接続用識別情報を送信し、第２の情報通信装置は、その接続用識別情報を接続サーバに送信する。接続サーバは、第１の情報通信装置から送信された接続用識別情報と第２の情報通信装置から送信された接続用識別情報とが同じ場合に、第１の情報通信装置と第２の情報通信装置とを接続する。
【００４４】
したがって、ユーザが携帯電話装置を用いた通話を行っている状態で携帯電話装置を操作して接続指示情報を入力すれば、第１の情報通信装置は第２の情報通信装置と自動的に接続する。このため、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。
【００４５】
また、上記通信システムにおいて、前記第１の携帯電話装置は、前記第１のユーザによって入力された、前記第２の情報通信装置の動作を制御する動作制御信号を受け付ける動作制御信号入力部と、前記動作制御信号入力部によって入力された動作制御信号を、前記第２の携帯電話装置経由または前記第１の情報通信装置経由で、前記第２の情報通信装置に送信する動作制御信号送信部とをさらに含む。
【００４６】
また、上記接続方法において、前記第１の携帯電話装置が前記第１のユーザによって入力された前記第２の情報通信装置の動作を制御する動作制御信号を受け付ける動作制御信号入力ステップと、前記第１の携帯電話装置が前記動作制御信号入力ステップで入力された動作制御信号を、前記第２の携帯電話装置経由または前記第１の情報通信装置経由で、前記第２の情報通信装置に送信する動作制御信号送信ステップとをさらに含むことが望ましい。
【００４７】
上記の発明によれば、ユーザは携帯電話装置を用いて通話相手の情報通信装置の動作を制御することが可能となる。
【発明の効果】
【００４８】
本発明によれば、ユーザが携帯電話装置を用いた通話を行っている状態で携帯電話装置を操作して接続指示情報を入力すれば、第１の情報通信装置は第２の情報通信装置とを自動的に接続する。したがって、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。
【発明を実施するための最良の形態】
【００４９】
以下、本発明の一実施例を図面を参照して説明する。
【００５０】
図１は、本発明の一実施例の通信システムを示したブロック図である。図１において、通話システムは、携帯電話装置１と、携帯電話装置２と、情報通信装置３と、情報通信装置４とを含む。
【００５１】
携帯電話装置１と情報通信装置３とは第１のユーザによって使用され、互いに対応付けられている。また、携帯電話装置２と情報通信装置４とは第２のユーザによって使用され、互いに対応付けられている。情報通信装置３は、通信回線としてのインターネット５を介して情報通信装置４と接続することができる。なお、通信回線は、インターネットに限るものではなく専用回線でもよく適宜変更可能である。ＤＮＳ（Domain Name System）サーバまたはＤＤＮＳ（Dynamic DNS）サーバ等のＩＰアドレス管理サーバ６は、インターネット５に接続している。
【００５２】
携帯電話装置１は、赤外線通信、無線ＬＡＮ（Local Area Network）またはBlue Toothなどの無線、またはＵＳＢ（Universal Serial Bus）などの有線で情報通信装置３と接続する。なお、携帯電話装置１は、インターネットを介して情報通信装置３と接続してもよい。また、携帯電話装置１は、電話交換機（不図示）を介して携帯電話装置２と接続する。
【００５３】
携帯電話装置２は、赤外線通信、無線ＬＡＮまたはBlue Toothなどの無線、またはＵＳＢなどの有線で情報通信装置４と接続する。なお、携帯電話装置２は、インターネットを介して情報通信装置４と接続してもよい。
【００５４】
情報通信装置３および情報通信装置４は、インターネット５と接続する。情報通信装置３および情報通信装置４は、例えば、インターネット５を介して映像情報を送信したり、インターネット５を介して映像情報を受信したりする。情報通信装置３としては、例えば、通信機能を有したテレビ、通信機能を有したカメラ、通信機能を有したホームサーバ、通信機能を有したテレビ電話装置または通信機能を有したパーソナルコンピュータを用いることが望ましい。また、情報通信装置４としては、例えば、通信機能を有したテレビ、通信機能を有したカメラ、通信機能を有したホームサーバ、通信機能を有したテレビ電話装置または通信機能を有したパーソナルコンピュータを用いることが望ましい。
【００５５】
携帯電話装置１は、アンテナ１ａと、無線通信部１ｂと、入出力部１ｃと、操作部１ｄと、通信部１ｅと、制御部１ｆとを含む。携帯電話装置２は、携帯電話装置１と同一構成であり、アンテナ２ａと、無線通信部２ｂと、入出力部２ｃと、操作部２ｄと、通信部２ｅと、制御部２ｆとを含む。情報通信装置３は、入力部３ａと、出力部３ｂと、格納部３ｃと、通信部３ｄと、通信部３ｅと、制御部３ｆとを含む。情報通信装置４は、情報通信装置３と同一構成であり、入力部４ａと、出力部４ｂと、格納部４ｃと、通信部４ｄと、通信部４ｅと、制御部４ｆとを含む。
【００５６】
アンテナ１ａは、携帯電話装置２との間で無線信号の送受信を行う。
【００５７】
無線通信部１ｂは、制御部１ｆから入出力部１ｃを介して供給された送信データをアンテナ１ａから無線信号で送信させ、また、アンテナ１ａによって受信された無線信号に応じた受信データを入出力部１ｃを介して制御部１ｆに供給する。
【００５８】
なお、無線通信部１ｂは、携帯電話装置１と携帯電話装置２との接続時に制御部１ｆから入出力部１ｃを介して供給される携帯電話装置１の電話番号を携帯電話装置２に対してアンテナ１ａから送信してもよい。また、無線通信部１ｂは、携帯電話装置１と携帯電話装置２との接続時にアンテナ１ａによって受信された携帯電話装置２の電話番号を入出力部１ｃに供給してもよい。
【００５９】
入出力部１ｃは、制御部１ｆから出力された送信データを無線通信部１ｂに供給し、無線通信部１ｂから供給された受信データを制御部１ｆに供給する。例えば、入出力部１ｃは、携帯電話装置１と携帯電話装置２との接続時に無線通信部１ｂから供給された携帯電話装置２の電話番号を制御部１ｆに供給する。制御部１ｆは、入出力部１ｃから供給された携帯電話装置２の電話番号を自己の内部のメモリに格納する。
【００６０】
操作部１ｄは、第１のユーザによって操作されることによって第１のユーザからの入力を受け付ける。例えば、操作部１ｄは、携帯電話装置１から携帯電話装置２への接続が行われる際に第１のユーザによって入力された携帯電話装置２の電話番号を受け付け、受け付けた携帯電話装置２の電話番号を入出力部１ｃを介して制御部１ｆに供給する。制御部１ｆは、入出力部１ｃから供給される携帯電話装置２の電話番号を自己の内部のメモリに格納する。
【００６１】
また、操作部１ｄは、第１のユーザによって入力された、情報通信装置３と情報通信装置４とを接続する旨の接続指示情報を受け付ける。操作部１ｄは、受け付けた接続指示情報を入出力部１ｃを介して制御部１ｆに供給する。
【００６２】
通信部１ｅは、ＵＳＢケーブル等の有線、または赤外線通信、無線ＬＡＮまたはBlue Toothなどの無線を介して情報通信装置３の通信部３ｄと通信を行う。
【００６３】
制御部１ｆは、コンピュータとしてのＣＰＵ１ｆ１と、コンピュータによって読み取り可能な記録媒体としてのメモリ１ｆ２とを含む。メモリ１ｆ２は、携帯電話装置１の動作を規定するプログラムおよび携帯電話装置１に関する種々の設定情報（例えば、携帯電話装置１の電話番号）とを記録している。ＣＰＵ１ｆ１は、メモリ１ｆ２に記録されているプログラムを読み込み、読み込んだプログラムを実行することによって、携帯電話装置１を制御する。なお、以下では、ＣＰＵ１ｆ１が実行する処理を、制御部１ｆが実行する処理として説明する。
【００６４】
例えば、制御部１ｆは、携帯電話装置１と携帯電話装置２とが接続している間に、操作部１ｄが接続指示情報を受け付けると、入出力部１ｃから供給され自己のメモリに格納している携帯電話装置２の電話番号を情報通信装置３に対して送信する送信処理を通信部１ｅに実行させる。
【００６５】
携帯電話装置２は携帯電話装置１と同一構成であり、その作用は、上記携帯電話装置１の説明において、例えば携帯電話装置１を携帯電話装置２と読みかえることによって認識されることが可能なので、携帯電話装置２に関する詳しい説明は省略する。なお、アンテナ２ａがアンテナ１ａに対応し、無線通信部２ｂが無線通信部１ｂに対応し、入出力部２ｃが入出力部１ｃに対応し、操作部２ｄが操作部１ｄに対応し、通信部２ｅが通信部１ｅに対応し、制御部２ｆが制御部１ｆに対応し、ＣＰＵ２ｆ１がＣＰＵ１ｆ１に対応し、メモリ２ｆ２がメモリ２ｆ１に対応する。
【００６６】
入力部３ａは、第１のユーザからの入力を受け付ける。例えば、情報通信装置３がカメラである場合、入力部３ａは撮像部となり、情報通信装置３がテレビ電話装置である場合、入力部３ａは撮像部およびマイクとなり、情報通信装置３がホームサーバまたはパーソナルコンピュータである場合、入力部３ａはキーボートとなる。
【００６７】
出力部３ｂは、第１のユーザに対して情報を出力する。例えば、情報通信装置３がテレビまたはテレビ電話である場合、出力部３ｂは表示部およびスピーカとなり、情報通信装置３がホームサーバまたはパーソナルコンピュータである場合、出力部３ｂは表示部となる。
【００６８】
格納部３ｃは、コンピュータによって読み取り可能な記録媒体であり、さまざまな情報を格納する。例えば、格納部３ｃは、携帯電話装置２の電話番号とこの携帯電話装置２と対応付けられている情報通信装置４にアクセスするためのアクセス情報とを関連づけて格納する。格納部３ｃは、情報通信装置４にアクセスするためのアクセス情報として、例えば、情報通信装置４のＩＰ（Internet Protocol）アドレスまたは情報通信装置４のＵＲＬ（Uniform Resource Locator）を格納する。
【００６９】
ここで、ＵＲＬは、ＵＲＬの上位概念であるＵＲＩ（Uniform Resource Identifier）でもよい。ＵＲＩおよびＵＲＬは各情報資源を特定させるものである。ＵＲＬはＵＲＩのインターネットに特化した仕様で、住所の役割をする。ここではＵＲＬを用いて説明する。
【００７０】
図２は、情報通信装置４にアクセスするためのアクセス情報として情報通信装置４のＩＰアドレスを用いた場合の格納部３ｃの一例を示した説明図である。図２において、格納部３ｃは、携帯電話装置１と接続可能な携帯電話装置（例えば、携帯電話装置２）の電話番号３ｃ１と、これに対応する情報通信装置（例えば、情報通信装置４）のＩＰアドレス３ｃ２とを関連づけて格納している。
【００７１】
図３は、情報通信装置４にアクセスするためのアクセス情報として情報通信装置４のＵＲＬを用いた場合の格納部３ｃの一例を示した説明図である。図３において、格納部３ｃは、携帯電話装置１と接続可能な携帯電話装置（例えば、携帯電話装置２）の電話番号３ｃ１と、これに対応する情報通信装置（例えば、情報通信装置４）のＵＲＬ３ｃ３とを関連づけて格納している。
【００７２】
図１に戻って、通信部３ｄは、ＵＳＢケーブル等の有線、または赤外線通信、無線ＬＡＮまたはBlue Toothなどの無線を介して携帯電話装置１の通信部１ｅと通信を行う。通信部３ｄは、通信部１ｅから送信された携帯電話装置２の電話番号を受信する。通信部３ｅは、インターネット５と接続されている。
【００７３】
制御部３ｆは、コンピュータとしてのＣＰＵ３ｆ１と、コンピュータによって読み取り可能な記録媒体としてのメモリ３ｆ２とを含む。メモリ３ｆ２は、情報通信装置３の動作を規定するプログラムおよび情報通信装置３に関する種々の設定情報とを記録している。ＣＰＵ３ｆ１は、メモリ３ｆ２に記録されているプログラムを読み込み、読み込んだプログラムを実行することによって、情報通信装置３を制御する。なお、以下では、ＣＰＵ３ｆ１が実行する処理を、制御部３ｆが実行する処理として説明する。
【００７４】
例えば、制御部３ｆは、通信部３ｄによって受信された携帯電話装置２の電話番号と関連づけて格納部３ｃに格納されているアクセス情報に基づいて通信部３ｅを動作させ、インターネット５を介して通信部３ｅと情報通信装置４の通信部４ｅとを接続させる。
【００７５】
なお、制御部３ｆは、情報通信装置４にアクセスするためのアクセス情報として情報通信装置４のＩＰアドレスが格納部３ｃに格納されている場合、通信部３ｄによって受信された携帯電話装置２の電話番号と関連づけて格納部３ｃに格納されているＩＰアドレスを用いて通信部３ｅと情報通信装置４の通信部４ｅとを接続させる。
【００７６】
また、制御部３ｆは、情報通信装置４にアクセスするためのアクセス情報として情報通信装置４のＵＲＬが格納部３ｃに格納されている場合、通信部３ｅに、通信部３ｄによって受信された携帯電話装置２の電話番号と関連づけて格納部３ｃに格納されているＵＲＬに対応するＩＰアドレスをＩＰアドレス管理サーバ６から取得させ、その後、通信部３ｅによって取得されたＩＰアドレスを用いて通信部３ｅを情報通信装置４の通信部４ｅと接続させる。
【００７７】
情報通信装置４は情報通信装置３とほぼ同一構成であり、その作用は、上記の情報通信装置３の説明において、例えば情報通信装置４を情報通信装置３と読みかえることによって認識されることが可能なので、情報通信装置４に関する詳しい説明は省略する。なお、入力部４ａが入力部３ａに対応し、出力部４ｂが出力部３ｂに対応し、格納部４ｃが格納部３ｃに対応し、通信部４ｄが通信部３ｄに対応し、通信部４ｅが通信部３ｅに対応し、制御部４ｆが制御部３ｆに対応し、ＣＰＵ４ｆ１がＣＰＵ３ｆ１に対応し、メモリ４ｆ２がメモリ３ｆ１に対応する。なお、情報通信装置４の入力部４ａおよび出力部４ｂは、情報通信装置３の入力部３ａおよび出力部４ｂと異なる種類のものでもよい。
【００７８】
次に動作を説明する。
【００７９】
図４は、通信システムの動作を説明するための動作説明図である。図４において、図１に示したものと同一構成のものには同一符号を付してある。図４では、情報通信装置３および情報通信装置４として映像通信装置を用いている。なお、情報通信装置３および情報通信装置４は、映像通信装置に限らず適宜変更可能である。以下、図４を参照して、通信システムの動作を説明する。
【００８０】
携帯電話装置１の操作部１ｄが、第１のユーザからの携帯電話装置２の電話番号の入力を受け付けると、操作部１ｄは受け付けた携帯電話装置２の電話番号を入出力部１ｃを介して制御部１ｆに供給する。
【００８１】
制御部１ｆは、入出力部１ｃから供給された携帯電話装置２の電話番号を無線通信部１ｂに供給する。無線通信部１ｂは、携帯電話装置２の電話番号をアンテナ１ａから送信し、携帯電話装置１と携帯電話装置２とを接続する（ステップＡ１）。よって、携帯電話装置１のユーザである第１のユーザは、携帯電話装置２のユーザである第２のユーザと通話を開始することができる。
【００８２】
なお、携帯電話装置２が接続元となり、携帯電話装置１が接続先になる場合、携帯電話装置１は、携帯電話装置２との接続時に電話交換機（不図示）から送信される携帯電話装置２の電話番号をアンテナ１ａを介して受信する。
【００８３】
携帯電話装置１の操作部１ｄが、第１のユーザによって入力された、映像通信装置３と映像通信装置４とを接続する旨の接続指示情報を受け付けると、操作部１ｄは受け付けた接続指示情報を入出力部１ｃを介して制御部１ｆに供給する。
【００８４】
制御部１ｆは、携帯電話装置１と携帯電話装置２とが接続している間に、操作部１ｄが接続指示情報を受け付けると、映像通信装置３に対して携帯電話装置２の電話番号を送信する送信処理を通信部１ｅに実行させる（ステップＡ２）。このとき、ＣＰＵ１ｆ１は、ＣＰＵ１ｆ１に供給する電源（パワー）を上げ、ＣＰＵ１ｆ１が、通信部１ｅの動作制御処理と音声通話処理とを並列処理で安定して実行できるようにすることが望ましい。
【００８５】
映像通信装置３の通信部３ｄは、通信部１ｅから送信された携帯電話装置２の電話番号を受信する。
【００８６】
制御部３ｆは、通信部３ｄによって受信された携帯電話装置２の電話番号と関連づけて格納部３ｃに格納されているアクセス情報を求め（ステップＡ３）、求めたアクセス情報に基づいて通信部３ｅを動作させてインターネット５を介して通信部３ｅと映像通信装置４の通信部４ｅとを接続させる（ステップＡ４）。よって、映像通信装置３は映像通信装置４との間で映像情報の送受信を開始する。
【００８７】
なお、制御部３ｆは、映像通信装置４にアクセスするためのアクセス情報として映像通信装置４のＩＰアドレスが格納部３ｃに格納されている場合、通信部３ｄによって受信された携帯電話装置２の電話番号と関連づけて格納部３ｃに格納されているＩＰアドレスを用いて通信部３ｅと映像通信装置４の通信部４ｅとを接続させる。
【００８８】
また、制御部３ｆは、映像通信装置４にアクセスするためのアクセス情報として映像通信装置４のＵＲＬが格納部３ｃに格納されている場合、通信部３ｅに、通信部３ｄによって受信された携帯電話装置２の電話番号と関連づけて格納部３ｃに格納されているＵＲＬに対応するＩＰアドレスをＩＰアドレス管理サーバ６から取得させ、その後、通信部３ｅによって取得されたＩＰアドレスを用いて通信部３ｅを映像通信装置４の通信部４ｅと接続させる。
【００８９】
本実施例によれば、携帯電話装置を用いた通話を行っている状態でユーザが携帯電話装置を操作して接続指示情報を入力すれば、第１の情報通信装置は第２の情報通信装置と自動的に接続する。したがって、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。
【００９０】
なお、制御部２ｆが、携帯電話装置１と携帯電話装置２とが接続している間に操作部２ｄが接続指示情報を受け付けた際に、操作部２ｄによって受け付けた接続指示情報を携帯電話装置１に送信する送信処理を無線通信部２ｂに実行させ、制御部１ｆが、無線通信部１ｂがアンテナ１ａ介して接続指示情報を受信した際に、携帯電話装置２の電話番号を情報通信装置３に送信する送信処理を通信部１ｅに実行させるようにしてもよい。
【００９１】
また、携帯電話装置２に接続された映像通信装置４が複数存在し、かつ複数の映像通信装置４のそれぞれが互いに異なったインターネットのグローバルアドレス（ＩＰアドレス）を持ち、さらに複数の映像通信装置４の中の任意の１つの映像通信装置４を映像通信装置３と接続したい場合、例えば、上記の実施例を以下のように変形すればよい。
【００９２】
映像通信装置３の格納部３ｃが、携帯電話装置２の電話番号と、携帯電話装置２と対応する複数の映像通信装置４のそれぞれのＩＰアドレス（アクセス情報）と、該複数の映像通信装置４のそれぞれの識別情報とを関連づけて格納する。
【００９３】
操作部１ｄが、複数の映像通信装置４の中からユーザによって任意に選択された映像通信装置４の識別情報を受け付けるようにする。制御部１ｆは、操作部１ｄによって受け付けられた映像通信装置４の識別情報を映像通信装置３に送信する送信処理を通信部１ｅに実行させる。
【００９４】
制御部３ｆは、通信部３ｄによって受信された携帯電話装置の電話番号および通信部３ｄによって受信された識別情報とに関連づけて格納部３ｃに格納されているアクセス情報に基づいて通信部３ｅを映像通信装置４の通信部４ｅと接続させる。
【００９５】
また、携帯電話装置１に接続された映像通信装置３が複数存在し、かつ第１のユーザが複数の映像通信装置３の中の任意（例えば１つ）の映像通信装置３を映像通信装置４と接続したい場合、例えば、上記の実施例を以下のように変形すればよい。
【００９６】
操作部１ｄが、複数の映像通信装置３の中から第１のユーザによって任意に選択された映像通信装置３を示した第１の選択情報を受け付けるようにする。さらに、携帯電話装置１と携帯電話装置２が接続している間に操作部１ｄが接続指示情報および第１の選択情報を受け付けると、制御部１ｆが、第１の選択情報によって示された映像通信装置３に対して携帯電話装置２の電話番号を送信する送信動作を通信部１ｅに実行させる。
【００９７】
また、上記変形例を適宜組み合わせてもよい。
【００９８】
図５は、本発明の他の実施例の通信システムを示したブロック図である。なお、図５において、図１に示したものと同一構成のものには同一符号を付してある。
【００９９】
図５において、制御部１０ｆは、コンピュータとしてのＣＰＵ１０ｆ１と、コンピュータによって読み取り可能な記録媒体としてのメモリ１０ｆ２とを含む。メモリ１０ｆ２は、携帯電話装置１の動作を規定するプログラムおよび携帯電話装置１に関する種々の設定情報（例えば、携帯電話装置１の電話番号）とを記録している。ＣＰＵ１０ｆ１は、メモリ１０ｆ２に記録されているプログラムを読み込み、読み込んだプログラムを実行することによって、携帯電話装置１を制御する。なお、以下では、ＣＰＵ１０ｆ１が実行する処理を、制御部１０ｆが実行する処理として説明する。
【０１００】
例えば、制御部１０ｆは、操作部１ｄによって受け付けられた接続指示情報を携帯電話装置２に送信する送信処理を無線通信部１ｂに実行させる。また、制御部１０ｆは、アンテナ１ａを介して無線通信部１ｂが情報通信装置４のアクセス情報（例えば、情報通信装置４のＩＰアドレス）を受信すると、受信した情報通信装置４のアクセス情報を情報通信装置３に送信する送信処理を通信部１ｅに実行させる。
【０１０１】
制御部２０ｆは、コンピュータとしてのＣＰＵ２０ｆ１と、コンピュータによって読み取り可能な記録媒体としてのメモリ２０ｆ２とを含む。メモリ２０ｆ２は、携帯電話装置２の動作を規定するプログラムおよび携帯電話装置２に関する種々の設定情報（例えば、携帯電話装置２の電話番号）とを記録している。ＣＰＵ２０ｆ１は、メモリ２０ｆ２に記録されているプログラムを読み込み、読み込んだプログラムを実行することによって、携帯電話装置２を制御する。なお、以下では、ＣＰＵ２０ｆ１が実行する処理を、制御部２０ｆが実行する処理として説明する。
【０１０２】
例えば、制御部２０ｆは、入出力部２ｃが、操作部２ｄによって受け付けられた接続指示情報または無線通信部２ｂがアンテナ２ａを介して受信した接続指示信号を受け付けると、情報通信装置４に対して情報通信装置４のアクセス情報（例えは、情報通信装置４のＩＰアドレス）を要求する旨のアクセス情報要求情報を送信する送信処理を通信部２ｅに実行させる。
【０１０３】
また、制御部２０ｆは、アクセス情報要求情報に応じて情報通信装置４から送信された情報通信装置４のアクセス情報を通信部２ｅが受信すると、受信した情報通信装置４のアクセス情報を携帯電話装置１に送信する送信処理を無線通信部２ｂに実行させる。
【０１０４】
制御部４０ｆは、コンピュータとしてのＣＰＵ４０ｆ１と、コンピュータによって読み取り可能な記録媒体としてのメモリ４０ｆ２とを含む。メモリ４０ｆ２は、情報通信装置４の動作を規定するプログラムおよび情報通信装置４のアクセス情報（例えば、情報通信装置４のＩＰアドレス）とを記録している。ＣＰＵ４０ｆ１は、メモリ４０ｆ２に記録されているプログラムを読み込み、読み込んだプログラムを実行することによって、情報通信装置４を制御する。なお、以下では、ＣＰＵ４０ｆ１が実行する処理を、制御部４０ｆが実行する処理として説明する。
【０１０５】
例えば、制御部４０ｆは、通信部４ｄが携帯電話装置２から送信されたアクセス情報要求情報を受信すると、情報通信装置４のアクセス情報を携帯電話装置２に送信する送信処理を通信部４ｄに実行させる。
【０１０６】
制御部３０ｆは、コンピュータとしてのＣＰＵ３０ｆ１と、コンピュータによって読み取り可能な記録媒体としてのメモリ３０ｆ２とを含む。メモリ３０ｆ２は、情報通信装置３の動作を規定するプログラムおよび情報通信装置３のアクセス情報（例えば、情報通信装置３のＩＰアドレス）とを記録している。ＣＰＵ３０ｆ１は、メモリ３０ｆ２に記録されているプログラムを読み込み、読み込んだプログラムを実行することによって、情報通信装置３を制御する。なお、以下では、ＣＰＵ３０ｆ１が実行する処理を、制御部３０ｆが実行する処理として説明する。
【０１０７】
例えば、制御部３０ｆは、通信部３ｄが携帯電話装置１から送信された情報通信装置４のアクセス情報を受信すると、受信した情報通信装置４のアクセス情報に基づいて通信部３ｅを動作させて、通信部３ｅと情報通信装置４とを接続する。
【０１０８】
次に動作を説明する。
【０１０９】
図６は、図５に示した通信システムの動作を説明するための動作説明図である。図６において、図５に示したものと同一構成のものには同一符号を付してある。図６では、情報通信装置３および情報通信装置４として映像通信装置を用いている。なお、情報通信装置３および情報通信装置４は、映像通信装置に限らず適宜変更可能である。以下、図６を参照して、図５に示した通信システムの動作を説明する。
【０１１０】
携帯電話装置１の操作部１ｄが、第１のユーザからの携帯電話装置２の電話番号の入力を受け付けると、操作部１ｄは受け付けた携帯電話装置２の電話番号を入出力部１ｃを介して制御部１０ｆに供給する。
【０１１１】
制御部１０ｆは、入出力部１ｃから供給された携帯電話装置２の電話番号を無線通信部１ｂに供給する。無線通信部１ｂは、携帯電話装置２の電話番号をアンテナ１ａから送信し、携帯電話装置１と携帯電話装置２とを接続する（ステップＢ１）。
【０１１２】
その後、制御部１０ｆは、操作部１ｄによって接続指示情報が受け付けられると、携帯電話装置２に対して接続指示情報を送信する送信処理を無線通信部１ｂに実行させる。
【０１１３】
制御部２０ｆは、携帯電話装置１と携帯電話装置２とが接続している間に、入出力部２ｃが、操作部２ｄによって受け付けられた接続指示情報または無線通信部２ｂが携帯電話装置１から送信された接続指示信号を受け付けると、情報通信装置４に対して情報通信装置４のアクセス情報（情報通信装置４のＩＰアドレス）を要求する旨のアクセス情報要求情報を送信する送信処理を通信部２ｅに実行させる（ステップＢ２）。
【０１１４】
制御部４０ｆは、通信部４ｄが携帯電話装置２から送信されたアクセス情報要求情報を受信すると、情報通信装置４のアクセス情報を携帯電話装置２に送信する送信処理を通信部４ｄに実行させる（ステップＢ３）。
【０１１５】
制御部２０ｆは、情報通信装置４から送信された情報通信装置４のアクセス情報を通信部２ｅが受信すると、受信した情報通信装置４のアクセス情報を携帯電話装置１に送信する送信処理を無線通信部２ｂに実行させる（ステップＢ４）。
【０１１６】
制御部１０ｆは、アンテナ１ａを介して無線通信部１ｂが情報通信装置４のアクセス情報を受信すると、受信した情報通信装置４のアクセス情報を情報通信装置３に送信する送信処理を通信部１ｅに実行させる（ステップＢ５）。
【０１１７】
制御部３０ｆは、通信部３ｄが携帯電話装置１から送信された情報通信装置４のアクセス情報を受信すると、受信した情報通信装置４のアクセス情報に基づいて通信部３ｅを動作させて、通信部３ｅと情報通信装置４とを接続する（ステップＢ６）。
【０１１８】
なお、無線通信部１ｂおよび無線通信部２ｂは、音声情報の通信を行いながら音声情報と異なる情報（例えば、アクセス情報要求情報または情報通信装置４のアクセス情報）を送信する際、音声情報と異なる情報と、音声情報とを多重化して送信することが望ましい。
【０１１９】
本実施例によれば、ユーザが携帯電話装置を用いた通話を行っている状態で携帯電話装置を操作して接続指示情報を入力すれば、第１の情報通信装置は第２の情報通信装置と自動的に接続する。したがって、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。また、図１に示した実施例で必要となる格納部３ｃを不要にでき、構成の簡略化が図れる。
【０１２０】
なお、携帯電話装置１に接続された映像通信装置３が複数存在し、かつ第１のユーザが複数の映像通信装置３の中の任意（例えば１つ）の映像通信装置３を映像通信装置４と接続したい場合、例えば、上記の実施例を以下のように変形すればよい。
【０１２１】
操作部１ｄが、複数の映像通信装置３の中から第１のユーザによって任意に選択された映像通信装置３を示した第１の選択情報を受け付けるようにする。さらに、携帯電話装置１と携帯電話装置２が接続している間に操作部１ｄが接続指示情報および第１の選択情報を受け付けると、制御部１０ｆが、第１の選択情報によって示された映像通信装置３に対して携帯電話装置２のアクセス情報（ＩＰアドレス）を送信する送信動作を通信部１ｅに実行させる。
【０１２２】
また、携帯電話装置２に接続された映像通信装置４が複数存在し、かつ複数の映像通信装置４が１つのルータを介してインターネットと接続する場合、複数の映像通信装置４のそれぞれは共通のグローバルアドレスを有している可能性が高い。このような状態で、複数の映像通信装置４の中の任意（例えば１つ）の映像通信装置４を映像通信装置３と接続したい場合、例えば、上記の各実施例を以下のように変形すればよい。
【０１２３】
操作部１ｄが、複数の映像通信装置４の中からユーザによって任意に選択された映像通信装置４の識別情報（第２の選択情報）を受け付けるようにする。制御部１ｆまたは制御部１０ｆは、操作部１ｄによって受け付けられた映像通信装置４の識別情報を携帯電話装置２に送信する送信処理を無線通信部１ｂに実行させる。
【０１２４】
制御部２ｆまたは制御部２０ｆは、複数の映像通信装置４の中で、携帯電話装置１から送信された映像通信装置４の識別情報によって特定される映像通信装置４にのみ映像通信装置３との接続を許可する接続許可信号を送信する送信処理を通信部２ｅに実行させる。
【０１２５】
複数の映像通信装置４の制御部４ｆまたは制御部４０ｆのそれぞれは、携帯電話装置２から送信された接続許可信号を受信すると、通信部４ｅが映像通信装置３と接続することを許容する。
【０１２６】
また、上記各変形例を任意に組み合わせてもよい。
【０１２７】
図７は、本発明のさらに他の実施例の通信システムを示したブロック図である。なお、図７において、図１に示したものと同一構成のものには同一符号を付してある。
【０１２８】
図７において、制御部１１ｆは、コンピュータとしてのＣＰＵ１１ｆ１と、コンピュータによって読み取り可能な記録媒体としてのメモリ１１ｆ２とを含む。メモリ１１ｆ２は、携帯電話装置１の動作を規定するプログラムおよび種々の情報（例えば、所定の文字コード等の接続用識別情報）とを記録している。ＣＰＵ１１ｆ１は、メモリ１１ｆ２に記録されているプログラムを読み込み、読み込んだプログラムを実行することによって、携帯電話装置１を制御する。なお、以下では、ＣＰＵ１１ｆ１が実行する処理を、制御部１１ｆが実行する処理として説明する。
【０１２９】
例えば、制御部１１ｆは、操作部１ｄによって接続指示情報が受け付けられた際に、メモリ１１ｆ２に記録されている接続用識別情報（例えば、所定の文字コード）を情報通信装置３に送信する送信処理を無線通信部１ｅに実行させる。
【０１３０】
制御部２１ｆは、コンピュータとしてのＣＰＵ２１ｆ１と、コンピュータによって読み取り可能な記録媒体としてのメモリ２１ｆ２とを含む。メモリ２１ｆ２は、携帯電話装置２の動作を規定するプログラムおよび種々の情報（例えば、メモリ１１ｆ２に記録されている所定の文字コード等の接続用識別情報と同じ接続用識別情報）とを記録している。ＣＰＵ２１ｆ１は、メモリ２１ｆ２に記録されているプログラムを読み込み、読み込んだプログラムを実行することによって、携帯電話装置２を制御する。なお、以下では、ＣＰＵ２１ｆ１が実行する処理を、制御部２１ｆが実行する処理として説明する。
【０１３１】
例えば、制御部２１ｆは、操作部２ｄによって接続指示情報が受け付けられた際に、メモリ２１ｆ２に記録されている接続用識別情報（例えば、所定の文字コード）を情報通信装置４に送信する送信処理を無線通信部２ｅに実行させる。
【０１３２】
ここで、制御部１１ｆのメモリ１１ｆ２に記録されている接続用識別情報と制御部２１ｆのメモリ２１ｆ２に記録されている接続用識別情報とを同じ情報にする仕組みの一例を説明する。
【０１３３】
例えば、制御部１１ｆが乱数発生部を含むようにし、制御部１１ｆは、その乱数発生部が発生した乱数を接続用識別情報としてメモリ１１ｆ２に記録する。さらに、制御部１１ｆは、メモリ１１ｆ２に記録した乱数を携帯電話装置２（具体的には制御部２１ｆ）に送信する送信処理を無線通信部１ｂに実行させる。制御部２１ｆは無線通信部１ｂから送信された乱数を接続用識別情報としてメモリ２１ｆ２に記録する。
【０１３４】
あるいは、制御部２１ｆが乱数発生部を含むようにし、制御部２１ｆが、その乱数発生部が発生した乱数を接続用識別情報としてメモリ２１ｆ２に記録し、さらにメモリ２１ｆ２に記録した乱数を携帯電話装置１（具体的には制御部１１ｆ）に送信する送信処理を無線通信部２ｂに実行させる。制御部１１ｆが無線通信部２ｂから送信された乱数を接続用識別情報としてメモリ１１ｆ２に記録するようにしてもよい。
【０１３５】
または、メモリ１１ｆ２とメモリ２１ｆ２との両方に、携帯電話装置１と携帯電話装置２の２つの携帯電話番号を接続用識別情報として格納するようにしてもよい。
【０１３６】
制御部３１ｆは、コンピュータとしてのＣＰＵ３１ｆ１と、コンピュータによって読み取り可能な記録媒体としてのメモリ３１ｆ２とを含む。メモリ３１ｆ２は、情報通信装置３の動作を規定するプログラムおよび接続サーバ７のＩＰアドレスとを記録している。ＣＰＵ３１ｆ１は、メモリ３１ｆ２に記録されているプログラムを読み込み、読み込んだプログラムを実行することによって、情報通信装置３を制御する。なお、以下では、ＣＰＵ３１ｆ１が実行する処理を、制御部３１ｆが実行する処理として説明する。
【０１３７】
例えば、制御部３１ｆは、通信部３ｄが携帯電話装置１から送信された接続用識別情報を受信すると、通信部３ｄによって受信された接続用識別情報を、メモリ３１ｆ２に記録されている接続サーバ７のＩＰアドレスによって特定される接続サーバ７に送信する送信処理を通信部３ｅに実行させる。
【０１３８】
制御部４１ｆは、コンピュータとしてのＣＰＵ４１ｆ１と、コンピュータによって読み取り可能な記録媒体としてのメモリ４１ｆ２とを含む。メモリ４１ｆ２は、情報通信装置４の動作を規定するプログラムおよび接続サーバ７のＩＰアドレスとを記録している。ＣＰＵ４１ｆ１は、メモリ４１ｆ２に記録されているプログラムを読み込み、読み込んだプログラムを実行することによって、情報通信装置４を制御する。なお、以下では、ＣＰＵ４１ｆ１が実行する処理を、制御部４１ｆが実行する処理として説明する。
【０１３９】
例えば、制御部４１ｆは、通信部４ｄが携帯電話装置２から送信された接続用識別情報を受信すると、通信部４ｄによって受信された接続用識別情報を、メモリ４１ｆ２に記録されている接続サーバ７のＩＰアドレスによって特定される接続サーバ７に送信する送信処理を通信部４ｅに実行させる。
【０１４０】
接続サーバ７は、インターネット５に接続しており、情報通信装置３から送信された接続用識別情報と情報通信装置４から送信された接続用識別情報とが同じ場合に、情報通信装置３と情報通信装置４とを接続する。
【０１４１】
次に動作を説明する。
【０１４２】
図８は、図７に示した通信システムの動作を説明するための動作説明図である。図８において、図７に示したものと同一構成のものには同一符号を付してある。図８では、情報通信装置３および情報通信装置４として映像通信装置を用いている。なお、情報通信装置３および情報通信装置４は、映像通信装置に限らず適宜変更可能である。以下、図８を参照して、図７に示した通信システムの動作を説明する。
【０１４３】
携帯電話装置１の操作部１ｄが、第１のユーザからの携帯電話装置２の電話番号の入力を受け付けると、操作部１ｄは受け付けた携帯電話装置２の電話番号を入出力部１ｃを介して制御部１１ｆに供給する。
【０１４４】
制御部１１ｆは、入出力部１ｃから供給された携帯電話装置２の電話番号を無線通信部１ｂに供給する。無線通信部１ｂは、携帯電話装置２の電話番号をアンテナ１ａから送信し、電話会社交換機８を介して携帯電話装置１と携帯電話装置２とを接続する（ステップＣ１）。なお、携帯電話装置１と携帯電話装置２とを接続は、電話会社交換機８を介してよいし、介さなくてもよい。
【０１４５】
その後、制御部１１ｆは、操作部１ｄによって接続指示情報が受け付けられると、メモリ１１ｆ２に記録されている接続用識別情報を情報通信装置３に送信する送信処理を無線通信部１ｅに実行させる（ステップＣ２）。
【０１４６】
また、制御部２１ｆは、携帯電話装置１と携帯電話装置２とが接続している間に、操作部２ｄによって接続指示情報が受け付けられると、メモリ２１ｆ２に記録されている接続用識別情報を情報通信装置４に送信する送信処理を無線通信部２ｅに実行させる（ステップＣ３）。
【０１４７】
制御部３１ｆは、通信部３ｄが携帯電話装置１から送信された接続用識別情報を受信すると、通信部３ｄによって受信された接続用識別情報を、メモリ３１ｆ２に記録されている接続サーバ７のＩＰアドレスによって特定される接続サーバ７に送信する送信処理を通信部３ｅに実行させる（ステップＣ４）。
【０１４８】
制御部４１ｆは、通信部４ｄが携帯電話装置２から送信された接続用識別情報を受信すると、通信部４ｄによって受信された接続用識別情報を、メモリ４１ｆ２に記録されている接続サーバ７のＩＰアドレスによって特定される接続サーバ７に送信する送信処理を通信部４ｅに実行させる（ステップＣ５）。
【０１４９】
接続サーバ７は、情報通信装置３から送信された接続用識別情報と情報通信装置４から送信された接続用識別情報とが同じ場合に、情報通信装置３と情報通信装置４とを接続する。
【０１５０】
本実施例によれば、携帯電話装置を用いて通話を行っているユーザは、携帯電話装置と異なる情報通信装置を操作するという煩わしい作業を行うことなく、通話相手の情報通信装置と自らの情報通信装置とを簡単に接続することが可能となる。また、図１に示した実施例で必要となる格納部３ｃを不要にでき、構成の簡略化が図れる。
【０１５１】
なお、上記各実施例において、操作部１ｄが情報通信装置４の動作を制御する動作制御信号を受け付け、制御部１ｆおよび制御部１０ｆおよび制御部１１ｆが、入力された動作制御信号を、携帯電話装置２経由または情報通信装置３経由で、情報通信装置４に送信するように無線通信部１ｂまたは通信部１ｅを制御するようにしてもよい。
【０１５２】
また、操作部２ｄが情報通信装置３の動作を制御する動作制御信号を受け付け、制御部２ｆおよび制御部２０ｆおよび制御部２１ｆが、入力された動作制御信号を、携帯電話装置１経由または情報通信装置４経由で、情報通信装置３に送信するように無線通信部２ｂまたは通信部２ｅを制御するようにしてもよい。
【０１５３】
上記の場合、例えば、情報通信装置３がカメラ、情報通信装置４がテレビモニタで、カメラで撮像した映像を遠隔のテレビモニタに表示させるために、カメラとテレビモニタとを接続した後、カメラ側の携帯電話装置１からカメラのズーム、パンなどを制御するだけでなく、テレビ側の携帯電話装置２からカメラ側の携帯電話装置１に操作コマンドを送って、そのコマンドをカメラ側の携帯電話装置１からカメラに送ることで、カメラを遠隔操作することが可能となる。
【０１５４】
また、情報通信装置３としてカメラのかわりにビデオ、ＨＤＤ（Hard Disk Drive）／ＤＶＤ（Digital Versatile Disk）プレーヤまたはホームサーバなどの映像記録装置を用いて、この映像記録装置から遠隔のテレビモニタ（情報通信装置４）に映像を送る場合、記録された映像の再生、停止、早送り、巻き戻しなどの操作を映像記録装置側の携帯電話装置１またはテレビモニタ側の携帯電話装置２から操作することが可能になる。
【０１５５】
また、情報通信装置３と情報通信装置４とに映像記録装置を用い、映像記録装置間をつないで映像データをダビングしたり、情報通信装置３と情報通信装置４とにパーソナルコンピュータを用い、パーソナルコンピュータ間をつないでファイルデータをダビングしたりするなど、情報通信装置３と情報通信装置４との間で通信される情報は映像データに限らずファイルデータを用いることも可能である。
【０１５６】
また、情報通信装置３および情報通信装置４として、カメラが接続されているパーソナルコンピュータまたはテレビ電話装置を用いた場合、音声の通信は使い慣れている携帯電話装置１と携帯電話装置２との間で行い、映像の通信はパーソナルコンピュータ間またはテレビ電話装置間で行うことが可能となる。この場合、音声通信が行われる際、使い慣れていないパーソナルコンピュータまたはテレビ電話装置に設けられたマイクを用いなくて済む。
【０１５７】
また、携帯電話装置１または携帯電話装置２としてデジタルカメラ付き携帯電話装置を用い、情報通信装置３および情報通信装置４としてパーソナルコンピュータを用いれば、携帯電話装置からパーソナルコンピュータ経由でデジタルカメラで撮像した映像を通話相手に送信することが可能となり、例えば、デジタルカメラで撮像した映像をブロードバンドインターネットを通して高速に通話相手に送ることも可能となる。
【０１５８】
また、上記各実施例において、一旦接続された情報通信装置３と情報通信装置４とを切断する場合は、携帯電話装置１と携帯電話装置２との接続が切断された際に、携帯電話装置１または携帯電話装置２から情報通信装置３または情報通信装置４に切断コマンドを自動的に送信して情報通信装置３と情報通信装置４との接続を切断するようにしてもよい。また、ユーザが情報通信装置３または情報通信装置４を操作して情報通信装置３と情報通信装置４との接続を手動で切断するようにしてもよい。
【０１５９】
上記各実施例によれば、ユーザは、携帯電話装置を用いて通話を行いながら映像情報等の情報を通話相手と共有したいときに、情報の送受信に必要となる情報通信装置同士をユーザが接続する操作を行うことなく、通話に使用している携帯電話装置を操作することによって情報の送受信に必要となる情報通信装置同士を自動的に接続して所望の情報を共有して楽しむことが可能となる。
【０１６０】
また、ユーザは、携帯電話装置から情報通信装置を操作（遠隔操作も含む）することも可能となり、音声と映像等の所望の情報を並列的に享受することが可能となる。
【０１６１】
以上説明した各実施例において、図示した構成は単なる一例であって、本発明はその構成に限定されるものではない。
【図面の簡単な説明】
【０１６２】
【図１】本発明の一実施例の通信システムを示したブロック図である。
【図２】格納部３ｃに格納された情報の一例を示した説明図である。
【図３】格納部３ｃに格納された情報の他の例を示した説明図である。
【図４】図１に示した通信システムの動作を説明するための説明図である。
【図５】本発明の他の実施例の通信システムを示したブロック図である。
【図６】図５に示した通信システムの動作を説明するための説明図である。
【図７】本発明の他の実施例の通信システムを示したブロック図である。
【図８】図７に示した通信システムの動作を説明するための説明図である。
【符号の説明】
【０１６３】
１      携帯電話装置
１ａ    アンテナ
１ｂ    無線通信部
１ｃ    入出力部
１ｄ    操作部
１ｅ    通信部
１ｆ    制御部
１ｆ１  ＣＰＵ
１ｆ２  メモリ
２      携帯電話装置
２ａ    アンテナ
２ｂ    無線通信部
２ｃ    入出力部
２ｄ    操作部
２ｅ    通信部
２ｆ    制御部
２ｆ１  ＣＰＵ
２ｆ２  メモリ
３      情報通信装置
３ａ    入力部
３ｂ    出力部
３ｃ    格納部
３ｄ    通信部
３ｅ    通信部
３ｆ    制御部
３ｆ１  ＣＰＵ
３ｆ２  メモリ
４      情報通信装置
４ａ    入力部
４ｂ    出力部
４ｃ    格納部
４ｄ    通信部
４ｅ    通信部
４ｆ    制御部
４ｆ１  ＣＰＵ
４ｆ２  メモリ
５      インターネット
６      ＩＰアドレス管理サーバ
７      接続サーバ
１０ｆ    制御部
１０ｆ１  ＣＰＵ
１０ｆ２  メモリ
１１ｆ    制御部
１１ｆ１  ＣＰＵ
１１ｆ２  メモリ
２０ｆ    制御部
２０ｆ１  ＣＰＵ
２０ｆ２  メモリ
２１ｆ    制御部
２１ｆ１  ＣＰＵ
２１ｆ２  メモリ
３０ｆ    制御部
３０ｆ１  ＣＰＵ
３０ｆ２  メモリ
３１ｆ    制御部
３１ｆ１  ＣＰＵ
３１ｆ２  メモリ
４０ｆ    制御部
４０ｆ１  ＣＰＵ
４０ｆ２  メモリ
４１ｆ    制御部
４１ｆ１  ＣＰＵ
４１ｆ２  メモリ
【図１】
2005277681.tif 000003
【図２】
2005277681.tif 000004
【図３】
2005277681.tif 000005
【図４】
2005277681.tif 000006
【図５】
2005277681.tif 000007
【図６】
2005277681.tif 000008
【図７】
2005277681.tif 000009
【図８】
2005277681.tif 000010